(57)【要約】【課題】簡単な構成で、面内磁化及び／又は磁界成分を垂直磁化及び／又は磁界成分から分離して測定することができる測定装置を提供する。【解決手段】光源（１０１）からの光束を集光して被測定磁性体に照射する集光手段（１０６）と、被測定磁性体の面内磁化成分に対する感度をもたせるために、被測定磁性体で反射した光束のみに作用し、かつ、その光束断面内の偏光分布への作用が光軸のまわりの１８０度回転に対して非対称性をもつように作用する１８０度回転非対称素子（１１１）と、１８０度回転非対称素子により作用された光の一方向の偏光成分又は互いに直交する偏光成分を分離してその各成分の光量を検出する偏光分離検出器（１１３、１１５、１２０）とを有し、面内磁化の１方向成分を他の成分から分離して測定可能な測定装置が提供される。【選択図】　　　　図１
2004093280.tif 000002
【特許請求の範囲】
【請求項１】
被測定磁性体の面内磁化成分を測定するための測定装置であって、
光源と、
前記光源からの光束を集光して被測定磁性体に照射する集光手段と、
前記被測定磁性体で反射した光束の偏光状態、又は光量の磁気光学効果による変化を検出するために、一方向の偏光成分又は互いに直交する偏光成分を分離してその各成分の光量を光検出器で検出する偏光分離検出器と、
前記被測定磁性体からの反射光のみに作用し、かつ、その入射光束断面内の偏光分布への作用が光軸のまわりの１８０度回転に対して非対称性をもつように作用する１８０度回転非対称偏光素子と
を有する測定装置。
【請求項２】
前記１８０度回転非対称偏光素子は、さらに、その入射光束に対する作用が光軸を含むある面に対する鏡映対称性をもつ１８０度回転非対称鏡映対称偏光素子とすることで、前記被測定磁性体の面内磁化ベクトルの１成分のみを他の直交する２成分から分離して測定を可能とした請求項１記載の測定装置。
【請求項３】
前記１８０度回転非対称偏光素子は、光束断面内の一部に作用する半波長の位相差を生じる半波長素子、又は光束断面内の分割された領域で主軸方位の異なる半波長素子から構成される分割半波長素子である請求項１又は２記載の測定装置。
【請求項４】
前記１８０度回転非対称偏光素子は、光束断面内で非一様な偏光回転作用をもつ分割偏光回転素子である請求項１又は２記載の測定装置。
【請求項５】
光源として、その出力光束が、光軸回りの１８０度回転に対して光軸に直交する光束断面内での強度分布は対称性をもつが偏光状態分布は対称性をもたず、かつ、光軸を含むある面を境界面とした鏡映に対して光束断面内の強度分布と偏光状態分布がともに対称であるような１８０度回転非対称鏡映対称偏光光源と、
前記１８０度回転非対称鏡映対称偏光光源からの光束を集光して被測定磁性体に照射する集光手段と、
前記被測定磁性体で反射した光束の偏光状態、又は光量の磁気光学効果による変化を検出するために、一方向の偏光成分又は互いに直交する偏光成分を分離してその各成分の光量を光検出器で検出する偏光分離検出器とを有し、
前記光源光出力から前記偏光分離検出器の直前までの光路にあって光束に作用する光学素子は、光束への光強度分布と偏光分布に対する作用が光軸回りの１８０度回転と前記鏡映面に対する鏡映に対して対称性をもち、
前記偏光分離検出器の１つまたは互いに直交する２つの偏光分離検出方位と前記鏡映面、または、前記被測定磁性体による磁気光学作用のないときに入射する光束の鏡映対称面とのなす角を９０度の整数倍にして置くことで、
前記被測定磁性体の面内磁化ベクトルの１成分のみを他の直交する２成分から分離して測定を可能とした測定装置。
【請求項６】
被測定磁性体の面内磁化ベクトルの１成分のみを他の直交する２成分から分離して測定するための測定装置であって、
光源と、
前記光源からの光束を集光して被測定磁性体に照射する集光手段と、
前記被測定磁性体で反射した光束の偏光状態、又は光量の磁気光学効果による変化を一方向の偏光成分又は互いに直交する偏光成分を分離してその各成分の光量を光検出器により検出する偏光分離検出器と、
光源と集光手段の間の光が往復する光路に、光束断面内において直線を境界として２つの領域に分割され、２つのそれぞれの領域における主軸が前記境界線に対して絶対値が等しく、符号が逆である角度をなす半波長素子からなる分割半波長素子と
を有する測定装置。
【請求項７】
前記１８０度回転非対称偏光素子は、分割された領域における各発生位相差を外部制御可能な分割位相変調器である請求項１記載の測定装置。
【請求項８】
前記光検出器は、画像検出素子と、画像検出素子に結像する結像レンズとを有することで、被測定磁性体の面内磁化分布の画像データを取得することを可能にした請求項１〜７のいずれか１項に記載の測定装置。
【請求項９】
前記集光手段は、
近接場光を発生する近接場プローブと、
近接場光が前記被測定磁性体と相互作用して生じた伝搬光を集光する集光部とを有する請求項１〜７のいずれか１項に記載の測定装置。
【請求項１０】
さらに、磁性体を備えたプローブを有し、
前記プローブの磁性体の磁化ベクトル成分を測定することにより、プローブ位置における空間磁界ベクトル成分の測定を可能とした請求項１〜９のいずれか１項に記載の測定装置。
【発明の詳細な説明】
【０００１】
【発明の属する技術分野】
本発明は、測定装置に関し、特に磁気カー効果、ファラデー効果等の磁気光学効果を検出する測定装置に関する。
【０００２】
【従来の技術】
磁性体の磁化状態を測定するために、光を磁性体に照射してその反射光の偏光状態や反射率が磁気カー効果により変化するのを検出する方法が広く利用されている。例えば、カー効果測定装置、カー効果磁区観察装置などと呼ばれる装置では、Ｍ−Ｈ特性の測定やカメラによる磁区観察が可能で、ランプ光源出力を偏光子に通した直線偏光光源やレーザ光源が使用される。また、微小領域の磁化状態を観察するマイクロカー測定装置、走査型カー効果顕微鏡などと呼ばれる装置があり、主にレーザ光源を使用し、対物レンズで集光して試料による反射光の偏光検出を行うことでレーザ集光位置の磁化測定を行うことができ、試料を走査しながら磁化測定を行うことで、磁化分布像を測定することができる。
【０００３】
さらに、これらの装置にパルス光源を使用することで、高速に変化する磁化分布をストロボ式で画像観察を行ったり（例えば、Ｍ．Ｈ．Ｋｒｙｄｅｒ　ａｎｄ　Ｆ．Ｂ．Ｈｕｍｐｈｒｅｙ，”　Ｄｙｎａｍｉｃ　Ｋｅｒｒ　Ｏｂｓｅｖａｔｉｏｎｓ　ｏｆ　Ｈｉｇｈ−Ｓｐｅｅｄ　Ｆｌｕｘ　Ｒｅｖｅｒｓａｌ　ａｎｄ　Ｒｅｌａｘａｔｉｏｎ　Ｐｒｏｃｅｓｓｅｓ　ｉｎ　Ｐｅｒｍａｌｌｏｙ　Ｔｈｉｎ　Ｆｉｌｍｓ”，　Ｊｏｕｒｎａｌ　ｏｆ　Ａｐｐｌｉｅｄ　Ｐｈｙｓｉｃｓ　Ｖｏｌｕｍｅ４０，Ｎｕｍｂｅｒ６，ｐ．２４６９−２４７４）、レーザ集光位置における高速磁化応答の時間分解測定を行う方法も使われている（例えば、Ｍ．Ｒ．Ｆｒｅｅｍａｎ　ａｎｄ　Ｊ．Ｆ．Ｓｍｙｔｈ”Ｐｉｃｏｓｅｃｏｎｄ　ｔｉｍｅ−ｒｅｓｏｌｖｅｄ　ｍａｇｎｅｔｉｚａｔｉｏｎ　ｄｙｎａｍｉｃｓ　ｏｆ　ｔｈｉｎ−ｆｉｌｍ　ｈｅａｄｓ”Ｊ．Ａｐｐｌ．Ｐｈｙｓ．７９（８），１５　Ａｐｒｉｌ　１９９６）。
【０００４】
また、磁気カー効果は、光磁気記録装置において磁性媒体の磁気記録データの読み出しにも利用されている。
磁気カー効果は、直線偏光の平行光入射に対して、磁性体の磁化方向と光の入射面との関係で、極カー効果、縦カー効果、横カー効果の３種に分類されている。
極カー効果は、磁性体の磁化方向が磁性体の表面に垂直な場合であり、Ｐ偏光又はＳ偏光の直線偏光を入射した場合に、磁化の大きさに応じて反射光偏光面の回転と楕円偏光化が起きる。
縦カー効果は、磁性体の磁化方向が磁性体の表面に平行でかつ光入射面内を向いている場合であり、Ｐ偏光又はＳ偏光の直線偏光を入射した場合に、磁化の大きさに応じて反射光偏光面の回転と楕円偏光化が起きる。
横カー効果は、磁性体の磁化方向が表面に平行でかつ光入射面に垂直な方向を向いている場合であり、Ｐ偏光の直線偏光を入射した場合に磁化の大きさに応じて反射率が変化し偏光の回転や楕円化は起きない現象で、Ｓ偏光の直線偏光を入射した場合は磁化の大きさに伴う変化は起きない。
【０００５】
高い空間分解能を必要としない磁性膜の磁気的性質を測定するカー効果測定装置においては、レーザ光源からのコリメート光をそのまま集光せずにＰ偏光やＳ偏光状態で磁性膜に照射して反射光の偏光回転や楕円偏光化や光量の変化を観察すれば、これらの３種のカー効果を分離して測定することが可能である。
【０００６】
一方、微小な領域の磁化状態を高い空間分解能で観察するマイクロカー測定装置では、ランプ光源やレーザ光源からの光を集光レンズで集光して磁性体に照射し、反射光を同じ集光レンズで集光して観察を行う。この場合、磁性体に照射される集光光には連続的に異なる方位角度をもつ入射面が含まれ、さらに、各入射面をもつ光に対して連続的に異なる入射角の光線成分を含んでいる。また、光源からの光が一定の偏光方位をもつ直線偏光であっても、集光光を各入射面に分けて考えると入射面の方位角に応じてＰ偏光成分とＳ偏光成分が異なる比率をとって存在している。従って、集光光束を異なる入射面に分けて考えると、垂直磁化成分に対しては定義から極カー効果のみが働くが、面内磁化成分に対してはその向きと光源の光の偏光方位との関係がどのようであっても縦カー効果と横カー効果の両方が混在する入射面があることになる。横カー効果はＰ偏光やＳ偏光に対して反射光の偏光回転を引き起こさないが、一般の方位をもつ偏光に対してはそのＰ偏光成分の反射率が変わることで、偏光方位の回転を引き起こす。従って、反射光の偏光回転を検出するような偏光検出系を用いたとしても、集光照射光学系を使用した場合には各入射面に対して横カー効果が一般には影響する。以上のように、対物レンズで光を集光して磁性体に照射する場合は、極カー、縦カー、横カー効果が複雑に混合することになり、垂直磁化成分と２つの直交する面内磁化成分のうちの１成分のみを完全に分離して測定するには特別な条件が必要になる。
【０００７】
磁性体の表面に垂直な磁化成分を高い空間分解能で測定するためには、直線偏光を出力するレーザ光を対物レンズの瞳の光軸中心に対して偏らずに軸対称に入射して磁性体表面に集光照射し、その反射光を同じ対物レンズで軸対称性を保ちながら集光してその偏光状態の変化を光束全体で一様に検出する。この場合、面内磁化成分により生じる縦カー効果や横カー効果は、軸対称に集光された異なる入射面の光の全体としては打ち消しあい、極カー効果すなわち垂直磁化成分が残る。
【０００８】
面内磁化成分を測定する場合には、対物レンズ瞳内への入射光位置を偏らせる方法、例えば、対物レンズ瞳内の片側半分に光を入射し、光入射角を磁性体表面の垂直方向に対して偏らせ、反射光を対物レンズ瞳の他の半分側から取り出して偏光状態を検出し、縦カー効果や横カー効果を利用して測定を行うのが一般的である（例えば、昭和５８年度電子通信学会半導体・材料部門大会、ｐ４８、マイクロパーマロイパターンの磁化分布測定、野中、他。「特開平５−２１５８２８、磁区構造解析装置」。）。
【０００９】
また、「特開平６−２３６５８６、光磁気記録媒体、これを用いた光磁気記録再生方法及び光磁気記録再生装置」において、偏光方位が異なる２種の光源を使用することで平面内の２つの方向の磁化記録情報を読み出す方法について述べられている。
【００１０】
また、対物レンズへの光入射／反射光集光は極カー測定と同様にレーザ光を対物レンズの瞳の光軸中心に対して偏らせずに入射し、反射光の偏光状態の検出を２分割、又は４分割フォトディテクタを利用して、対物レンズによる集光入反射角の成分を分離して検出し、フォトディテクタ各分割部分の検出信号の加減算を電気的に行って、垂直磁化成分と面内磁化成分を分離して検出する方法も利用されている（例えば、Ｔｈｅ　Ｆｉｆｔｈ　Ｉｎｔｅｒｎａｔｉｏｎａｌ　Ｐｅｒｐｅｎｄｉｃｕｌａｒ　Ｍａｇｎｅｔｉｃ　Ｒｅｃｏｒｄｉｎｇ　Ｃｏｎｆｅｒｅｎｃｅ　（ＰＭＲＣ　２０００）「Ｒｅａｌ−ｔｉｍｅ　Ｏｂｓｅｒｖａｔｉｏｎ　ｏｆ　Ｓｕｂ−ｎａｎｏｓｅｃｏｎｄ　Ａｔｈｅｒｍａｌ　Ｍａｇｎｅｔｉｃ　Ｓｗｉｔｃｈｉｎｇ　ｉｎ　Ｐｅｒｐｅｎｄｉｃｕｌａｒ　Ｍｕｌｔｉｌａｙｅｒｓ」Ｇａｎｐｉｎｇ　Ｊｕ，Ｒｅｎｅ他、日本応用磁気学会誌Ｖｏｌ．２３，Ｎｏ１２，１９９９，「記録および再生ヘッドの評価解析技術」大森広之）。
【００１１】
【発明が解決しようとする課題】
対物レンズ瞳内への光入射強度分布を中心から偏らせる方法、例えば、瞳の片側半分に入射して光入射角を磁性体表面の垂直方向に対して偏らせ、反射光を対物レンズ瞳の他の半分側から取り出して偏光状態を検出し、縦カー効果や横カー効果を利用して面内磁化成分の測定を行う方法では、垂直磁化成分による極カー効果も同時に検出されてしまうという欠点がある。また、光源からの光を効率よく使うためには、瞳の半径程度の直径をもつ光ビームを瞳の片側から入射するのが簡単であるが、その場合、対物レンズのもつ開口数ＮＡのうち実際に使用される実効ＮＡがかなり小さくなるため、空間分解能が劣化する。対物レンズの瞳径と同程度以上の径をもつ光源からの光ビームの片側を遮光して対物レンズに入射すれば、実効ＮＡを先の方法より大分高くできるが、それでも空間分解能の劣化は生じ、光利用効率もかなり下がってしまうという問題がある。
【００１２】
また、「特開平６−２３６５８６」において、偏光方位が異なる２種の光源を使用することで平面内の２つの方向の磁化記録情報を読み出す方法について述べられているが、その実現方法は、光源となるヘッドを２つ設けるか、２つの波長の異なる光源を用いており、２つの偏光を出力する光源は独立して置かれ、２つの偏光の光路を分けた後に２つの偏光の回転を２つの独立した偏光回転検出器で検出する構造となっている。この場合、２つの光源がインコヒーレントに独立して働くので、得られる光強度集光スポットは２つの光源各々で独立に形成される光強度集光スポットを重ねたものとなり、上記と同様に実効ＮＡが下がり、集光性能が落ちる。また、垂直磁化成分の検出感度をゼロとするための実現方法が記述されていない。また、垂直磁化成分測定の実現方法も記述されておらず、垂直磁化成分を面内磁化成分から分離して測定する実現方法も記述されていない。また、独立な２つ光源と偏光検出器を使用しており、構造が複雑で調整も容易でない。
【００１３】
また、２分割、又は４分割フォトディテクタを使用して垂直磁化成分と面内磁化成分を分離して検出する方法では、各分割フォトディテクタ素子に対してその出力電流信号を増幅するＩ／Ｖ変換アンプ等のアンプが必要になり、かつその各アンプ出力を加減算する必要があるが、その際、アンプノイズも加算されてＳ／Ｎが劣化する。例えば、同一のノイズ出力を持つアンプの２つの出力を加減算する場合、加減算回路（ここでは説明の便利のため加減算回路のゲインは１とする）の発生するノイズを無視してもＩ／Ｖ変換アンプ１つの場合に比べてノイズ電圧は√２倍となり、４つの出力を加減算すれば２倍となる。磁気カー効果は微弱であるため、回路ノイズやその他のノイズに埋もれた微小な信号を信号処理により抽出する必要があるが、このようにノイズが増大すればそれが直接測定精度を低下させてしまうという問題が生じる。
【００１４】
また、２分割、又は４分割フォトディテクタへの光入射位置を光の分割検出比が所定の比率、通常各分割部分に丁度等分配されるように正確に合わせる必要があり、受光面積の小さな素子を使用するとこの調整が困難になる。また、分割フォトディテクタを２個使用して直交する２つの偏光成分を検出して両者の差を取る差動偏光検出光学系とすると、光量ノイズがキャンセルされて高いＳ／Ｎが得られやすくなるが、この場合には２つの分割ディテクタへの光入射位置を同時に調整しなければならず、さらに調整が困難になる。
【００１５】
一方、大きな受光面積を持つフォトディテクタではディテクタの接合容量が大きくなり、ディテクタ自身高速応答が得られにくいうえに、大きな入力容量がついた状態で高速応答が得られるＩ／Ｖアンプの実現も困難なため、広帯域の受光検出系を形成できないという問題が生じる。また、高周波において精度よく動作する加減算回路の実現も困難である。
【００１６】
また、２分割、又は４分割フォトディテクタを使用する方法では、磁性体の１点で反射された反射光束の中心を分割フォトディテクタの中心に合わせる必要がある。従って、点光源を使用する走査型のレーザ顕微鏡には分割フォトディテクタを使用する方法が適用できるが、光源からの光で試料のある範囲の領域を同時に照明し、反射光を結像レンズで集光してその像をＣＣＤカメラで受光することにより、画像として面内磁化分布を観察することはできない。例えば、ＣＣＤカメラの各画素の隣同士を分割フォトディテクタとして扱ったとしても、磁性体上のすぐとなりで反射してこれらの画素の近傍に集光されてくる光が混入してしまう。従って、分割フォトディテクタを使用する方法では、たとえそれをアレイ状に作ったとしても画像を一括してカメラで観察する通常の顕微観察法には適用できない。また、接眼レンズを通した目視もできない。
【００１７】
また、２分割、又は４分割フォトディテクタを使用する方法では、面内磁化成分を測定する直交する２つの軸は、フォトディテクタの分割方向で決まる方向に固定されてしまう。また、この軸を自由に回転できるようにするために、フォトディテクタの向きを回転可能にするためには複雑な機構が必要になる。
【００１８】
本発明の目的は、簡単な構成で、面内磁化及び／又は磁界成分を垂直磁化及び／又は磁界成分から分離して測定することができる高空間分解能、高Ｓ／Ｎの測定装置を提供することである。
【００１９】
【課題を解決するための手段】
本発明の一観点によれば、光源と、前記光源からの光束を集光して被測定磁性体に照射する集光手段と、前記被測定磁性体で反射した光束の偏光状態、又は光量の磁気光学効果による変化を検出するために、一方向の偏光成分又は互いに直交する偏光成分を分離してその各成分の光量を光検出器で検出する偏光分離検出器とを有する磁化測定装置において、前記被測定磁性体からの反射光のみに作用し、かつ、その入射光束断面内の偏光分布への作用が光軸のまわりの１８０度回転に対して非対称性をもつように作用する１８０度回転非対称偏光素子を備えることで、前記被測定磁性体の面内磁化成分の測定を可能とした測定装置が提供される。集光手段の開口数（ＮＡ）を最大限に利用でき、光利用効率も高くできるため、高空間分解能で測定のＳ／Ｎを高くすることができる。
【００２０】
さらに、前記１８０度回転非対称偏光素子を、その入射光束に対する作用が光軸を含むある面に対する鏡映対称性をもつ１８０度回転非対称鏡映対称偏光素子とすることで、前記被測定磁性体の３次元成分をもつ磁化ベクトルのうち、面内磁化ベクトルの１成分のみを他の直交する２成分から分離して測定を可能とした測定装置が提供される。光検出器を簡単な構成にすることが可能なため、測定のＳ／Ｎを高くすることが可能になる。
【００２１】
さらに、本測定原理により光検出器として画像検出素子を使用することも可能となり、磁化ベクトルの３成分のうち面内磁化の１成分を分離して高空間分解能、高Ｓ／Ｎで観察が可能な磁化画像観察装置が提供される。
【００２２】
さらに、前記１８０度回転非対称鏡映対称偏光素子の位置を移動させたり回転する手段を備えて光束が入射する位置や回転角を切り換えることにより、前記被測定磁性体の３次元磁化ベクトルの各成分を切り換えて分離測定することを可能とした測定装置が提供される。
【００２３】
【発明の実施の形態】
本発明の実施形態は、高い空間分解能で面内磁化成分を測定する方法に関するもので、特に、集光性能や空間分解能の劣化を抑えて測定する方法、垂直磁化および面内磁化２成分の測定を完全に分離して測定する方法、面内磁化成分と垂直磁化成分の測定を切り換えて測定する方法、構造が単純な方法、光軸調整が簡単な方法に関するものである。また、磁界測定にも適用できる。
【００２４】
最初に、本発明の実施形態を説明するために必要なことがらについて述べる。磁気光学効果の測定において垂直磁化成分や面内磁化成分が検出されるかどうかを調べる場合、物理法則の空間回転対称性と、空間反転対称性、特に鏡映対称性を利用すると基本的な性質がわかる。空間反転対称性、鏡映対称性はそれから導出されるパリティ保存則として知られ、ベータ崩壊などの原因となる弱い相互作用においては成立しないことが知られているが、ここで扱うような電磁相互作用現象の範囲内ではパリティ保存則が成立する。物理法則に回転、鏡映対称性があれば、「ある現象がその物理法則のもとで許された場合、それを任意角度回転又は鏡映した現象も同じ物理法則のもとで許される」といえる。さらに、初期条件に対する物理方程式の解の一意性を仮定すれば、「回転又は鏡映対称な初期状態から出発した現象は、結果も回転又は鏡映対称な状態をとる」といえる。その際、磁化ベクトルや磁場ベクトルが電場ベクトルなどの通常の極性ベクトルではなく、軸性ベクトルとして振る舞うことに注意する。極性ベクトルは空間反転で符号が変わるが、軸性ベクトルは変えない。ある面（鏡映面と呼ぶ）に対する鏡映をとる場合は、極性ベクトルは鏡映により鏡に垂直な成分の符号が変わり、鏡映面に平行な成分は変わらないが、軸性ベクトルは鏡に垂直な成分の符号が変わらず、鏡に平行な成分は符号が変わる。
【００２５】
ここで扱う磁気光学効果は磁化や磁界について線型な効果であり、任意の向きの磁化ベクトルに対する効果は、磁化ベクトルを任意の向きの成分に分けて考えることが許されるとする。磁気カー効果、ファラデー効果は磁化や磁界に線型な効果である。
【００２６】
ここで使用する磁気光学効果の検出を行う偏光分離検出器は、入射光束の断面内で一様な特性をもち、その検出出力は１つの方向の偏光成分を分離してその光強度を出力するか、又は直交する２つの偏光成分の光強度やその差は一次結合を出力（この差を出力する場合を差動偏光検出（器）とよぶ）するものとする。従って、偏光分離検出器の検出出力特性は、入射光の光軸のまわりの１８０度の回転に対して不変である。
【００２７】
また、偏光分離検出器の出力は任意の方向の磁化量の変化（正負を含む）に比例する変化量（比例係数ゼロも含む）を出力し、磁化の２乗以上の項はそれに比べて無視できるものとする（磁化に無関係な定数がのっていてもよい）。すなわち、Ｍｘ，Ｍｙ，Ｍｚを磁化の３直交成分、Ａ，Ｂ，Ｃ，Ｄを定数（ゼロを含む）として、次式で表される。
偏光分離検出器の出力＝Ａ＋Ｂ×Ｍｘ＋Ｃ×Ｍｙ＋Ｄ×Ｍｚ
【００２８】
測定対象の磁気光学効果は通常微小な効果であるから、特別な場合を除きこの性質をもつ。しかし、例えば、直線偏光光源の偏光方位と検光子の偏光方位を直交させるいわゆるクロスニコル配置の完全な状態では磁化に比例する項がゼロになり、磁化の二乗に比例する信号が得られるため、このような測定配置は避けるものとする。
【００２９】
偏光分離検出器は、実際には被測定磁性体での反射光を検出する場合には反射光を光源の光路からビームスプリッタなどで分岐した位置に置く必要がある。しかし、ビームスプリッタとして透過と反射に対する偏光特性のないものを使用すれば、実質的には反射光をそのまま分岐せずに（分岐による光量の一定比率の損失は考慮する）光源と集光手段の光軸と同軸に配置された偏光分離検出器で受けるような仮想的な配置と同等と考えることができ、そうすると回転や鏡映操作を考えやすくなる。
【００３０】
ビームスプリッター等で光束を折り曲げた場合、その前後での光束断面内に取るＸＹ座標は、ＸＹ座標を回転せずに光束とともに光軸に直交しながら折り曲げることで一致するように取ることにする。光束断面内での方位角の基準はこのようにしてとったＸＹ座標を基準にして取り、Ｘ軸の方位を０度とする。被測定磁性体の面内に取るＸＹ座標や方位角基準も、それに垂直入射する光束断面に対して取ったＸＹ座標や方位角基準と一致するようにする。
【００３１】
また、簡単のため、被測定磁性体の磁化状態は、レーザの集光スポット内又は顕微鏡の解像限界内では一様であると考える。
なお、本明細書では半波長素子等の直線位相子の進相軸又は遅相軸を主軸と呼び、その方位を主軸方位と呼ぶことにした。なお、楕円の長軸、短軸に対しても主軸という用語を使用する。主軸方位の方位角は、±９０度や０〜１８０度などの範囲で表現するように定める場合があるが、不便なためここではそのような範囲の制限は設けないことにする。すなわち、１８０度の整数倍の差をもつ方位角は等しい。また、ここで使う「光軸」という用語は、幾何光学で使う光軸の意味で、複屈折性結晶における光学軸又は光軸や、上記の進相軸、遅相軸とは異なる。
【００３２】
通常、鏡映というと３次元空間内でのある平面に対する鏡映を指すが、ここでは、その意味の他に、２次元平面内でのその平面内の直線（鏡映線ともいう）に対する鏡映を「その鏡映線と平面に直交する線とを含む平面に対する３次元空間内の鏡映によって生じる２次元平面内での変換」を意味するものとして使用することにする。
鏡映対称線とは、この２次元の鏡映対称性をもつ場合の鏡映線を意味するものとする。
【００３３】
さらに、本明細書では、以下のような表現や用語を以下の意味で使用する。
１つの入力光束に作用して１つの出力光束を生じる光学素子が、（光軸のまわりの）１８０度回転対称性や（光軸を含むある面に対する）鏡映対称性など、ある変換に対する対称性をもつ、あるいは不変であるとは、光学素子の所定の領域内に入力する光束断面内で任意の偏光状態分布と強度分布をもつ入力光束に対して、光学素子の出力光束の偏光状態分布と強度分布が、その光学素子にその変換を行っても変わらない性質をもつことをいうこととする。例えば、通常の顕微鏡対物レンズは構造が光軸のまわりで回転対称に作られているため、光軸のまわりの任意の角度の回転に対して不変である。
【００３４】
この場合、特に入力光の偏光状態分布と強度分布がその変換に対して対称（不変）であれば、その光学素子の出力光の偏光状態分布と強度分布もその変換に対して対称（不変）である。
【００３５】
入力光束の偏光状態分布になんらかの作用をする偏光光学素子が、上記のような対称性をもつ（もたない）場合、その入力光束への作用を「光束断面内の偏光分布への作用がその変換に対して対称性をもつ（もたない）ように作用する」ともいい、特に１８０度回転対称性を持つ（持たない）場合には「１８０度回転（非）対称偏光素子」ということとする。この「１８０度回転非対称偏光素子」がさらに鏡映対称性をもつ場合には、「１８０度回転非対称鏡映対称偏光素子」ということとする。例えば、入射光束に一様に働く半波長板等の直線位相子は直交する主軸間の発生位相差で特徴づけられるため、１８０度回転対称偏光素子である。
【００３６】
偏光回転素子とは、任意の入力偏光状態に対して一定の角度の回転を引き起こして出力する素子をいい、半波長板のように入力偏光の方位によって出力偏光の回転角度が異なる素子とは区別する。
【００３７】
（第１の実施形態）
図１は、本発明の第１の実施形態による測定装置の構成例を示す図である。直線偏光光源１０１はレーザ光源を用い、その出力光束は強度分布が円又は楕円形状でその楕円主軸の方位に偏光方位をもつものとする。まず、半波長板１０２及び１１２がない場合を説明する。光源１０１からの光はビームスプリッタ１０５を透過後に集光手段となる対物レンズ１０６で集光して被測定磁性体１０７に入射し、その反射光を対物レンズ１０６で集光してビームスプリッタ１０５で反射させて検出器に導く。
【００３８】
上記の光学系は、光軸１０４を有する。又は、光源１０１からの光をビームスプリッタ１０５で反射させて被測定磁性体１０７に集光照射し、その反射光がビームスプリッタ１０５で透過した光を検出してもよい。光源１０１の出力光束のもつ鏡映対称性をビームスプリッタ１０５のもつ偏光特性が崩さないように、ビームスプリッタ１０５の反射方向を光源１０１のもつ鏡映対称面にそった方向か直交する方向に揃えるとよい。また、不要な偏光変化を避けるため、ビームスプリッタ１０５は無偏光、無位相差特性のものが望ましい。また、対物レンズ１０６は軸対称であり、その中心軸がこの光学系の光軸１０４となり、こらが入反射光束の光軸と一致している。
【００３９】
被測定磁性体１０７での反射光１０９は「１８０度回転非対称偏光素子」１１１を通過した後、偏光ビームスプリッタ１１３で直交する２つの直線偏光に分離されてそれぞれ集光レンズ１１４，１１９で集光後、光検出器１１５，１２０で検出される。「１８０度回転非対称偏光素子」１１１は、例えば図２（Ｂ）のように、上半分に半波長板２０１、下半分にガラス板２１１を有する。図２（Ａ）に示すように、半波長板２０１の主軸２０３の方位角は０度、すなわちＸ軸に一致し、偏光方位２０４の直線偏光が入射すると、偏光方位２０５の直線偏光を出力する。入射光の偏光方位２０４及び出射光の偏光方位２０５は、主軸２０３に対して対称である。一方、ガラス板２１１は、光をそのまま通過させる。偏光ビームスプリッタ１１３は、直交する２つのＸ軸及びＹ軸の直線偏光に分離する。上記の光学系は、光軸１１０を有する。
【００４０】
必要なら偏光を回転調整するために半波長板１０２を光源１０１の出力、又は半波長板１１２を「１８０度回転非対称偏光素子」１１１の前後、又は対物レンズ１０６の手前などの光路中に挿入してもよいし、逆に省略してもよい。
【００４１】
光検出器１１５，１２０には、例えば半導体光検出器（フォトダイオード）や光電子増倍管（フォトマル）が使用される。２つの光検出器１１５，１２０は、光量に応じて電流を出力する。その出力はＩ／Ｖアンプ１１６，１２１で電圧に変換される。差動アンプ１１７は、その２つの電圧の差動偏光検出信号１１８を制御部１２４に出力する。加算アンプ１２２は、その２つの電圧の和信号１２３を制御部１２４に出力する。
【００４２】
差信号１１８は、被測定磁性体１０７の磁化に伴う磁気光学効果を検出した信号となる。和信号１２３は必ずしも必要ないが、反射光量信号となり、反射光量画像を測定することができる。
【００４３】
制御部１２４の制御によりステージ１０８を移動させ、被測定磁性体１０７の位置を走査して上記の検出を行うことで、被測定磁性体１０７の磁化分布と反射分布が得られる。
【００４４】
この「１８０度回転非対称偏光素子」１１１を光路中に挿入したために、光学系の偏光検出特性の１８０度回転に対する対称性が崩れ、面内磁化成分に対して感度を有するようにできる。また、レーザ光源１０１の出力光の中心軸を光学系の光軸１０４、すなわち対物レンズ１０６の中心軸に合わせて被測定磁性体１０７への集光照射と反射光の集光が行われるため高い集光性能が得られる。また、レーザ光の集光照射までの光路には「１８０度回転非対称偏光素子」１１１が作用しないため、偏光分布の乱れによって集光性能を落とすことがない。光の強度分布を光軸から偏らせるための部分的な遮光も行う必要がないため、光利用効率が高い。
【００４５】
なお、光路中に光源１０１の偏光方位の切り換えや、途中の偏光方位の調整、偏光回転角基準を得るなどの目的で、光路中の任意の位置に半波長板や偏光回転素子やファラデー素子を挿入してもよい。
【００４６】
この「１８０度回転非対称偏光素子」１１１としては、複屈折性素子や偏光回転素子を分割接合して無数の種類のものを作成することができるが、下記の分割半波長素子や分割偏光回転素子が典型的で単純なものである。
【００４７】
［反射光に対する分割偏光操作（１８０度回転非対称）］
（構成１）光源１０１からの光束を集光手段１０６により集光して被測定磁性体１０７に照射し、その反射光の偏光状態や光量の磁気光学効果による変化を一方向の偏光成分又は互いに直交する偏光成分を分離してその各成分の光量を検出する偏光分離検出器１１３〜１１７，１１９〜１２１によって検出することで被測定磁性体の磁化状態を測定する磁化測定装置であって、被測定磁性体で反射した光束のみに作用し、かつ、その光束断面内の偏光分布への作用が光軸まわりの１８０度回転に対して非対称性をもつ「１８０度回転非対称偏光素子」１１１を作用させることで、被測定磁性体１０７の面内磁化成分に対する感度をもたせる。
【００４８】
光束断面内での強度分布と偏光状態の分布が光学系の光軸のまわりの１８０度回転対称性をもつ光源１０１からの光束を集光手段１０６により被測定磁性体１０７に垂直に集光照射し、反射光を集光手段で集光して偏光分離検出器で検出したとする。すなわち、まず「１８０度回転非対称偏光素子」１１１がない場合を考える。
【００４９】
任意の向きの面内磁化成分を考える。磁性体１０７と測定装置を光軸のまわりで１８０度回転したものを考える。偏光分離検出器の出力値自体はスカラー量であり、回転しても変わらないが、被測定磁性体１０７の磁化は軸性ベクトル量であるから向きが反転する。一方、上に述べたことから、回転後の測定装置自体の特性は、回転前の測定装置と性質が等価である。仮定により、磁化の変化による偏光分離検出器出力の変化量は磁化の反転で符号が反転するので、それはゼロでなければならない。従って、面内磁化成分は検出されず、垂直磁化成分のみが検出されうる。
【００５０】
任意の１点における偏光状態は電気ベクトルが回転して描く楕円の形状とその回転の向きで特徴づけられるから、一点の偏光状態自体はその点の回りの１８０度回転対称性をもつ。従って、通常使用される強度分布が円又は楕円形状の分布で、偏光状態の分布が一様な光源では、強度と偏光状態の分布はともに光束光軸の回りの１８０度回転対称性をもち、上のような測定条件では垂直磁化成分のみしか検出されない。
【００５１】
そこで、偏光分離検出器のまえに、偏光特性が１８０度回転対称性をもたない１８０度回転非対称偏光素子１１１を挿入して測定系の１８０度回転対称性を崩し、面内磁化成分に対する感度をもたせた。
【００５２】
このような光学素子としては、例えば、直線位相子を分割して作成することができる。直線位相子は直交する２種の主軸方位（遅相軸と進相軸方位）で光学異方性が特徴づけられ、素子の一点における特性はその回りでの１８０度回転対称性をもつ。従って、反射光束全体を一様な直線位相子に透過させても、１８０度回転対称性は失われない。しかし、直線位相子を光束の一部に作用させるようにしたり、複数の素子に分割して異なる主軸方位をもたせて接合したりすることで、１８０度回転対称性をもたない素子を作成することができる。
【００５３】
本実施形態では、被測定磁性体１０７での反射光に対してのみ偏光への操作を行うことが特徴であり、集光レンズ１０６への入射光の偏光分布を乱して集光性能が劣化するのを防ぐことができる。例えば、光磁気記録装置では、集光スポットによる発熱で磁性体をキューリ温度以上に上昇させて記録を行うため、集光性能の劣化が直接記録密度の低下に直接つながってしまう。また、光学系に１８０度回転非対称性をもたせるための作用を光束内での部分的な遮光によってではなく、直線位相子などの偏光素子で行うことで、光量の損失がなく検出信号量の低下を防ぐことが可能になる。
【００５４】
（第２の実施形態）
図２（Ａ）及び（Ｂ）は、本発明の第２の実施形態による１８０度回転非対称偏光素子１１１（図１）の典型例である分割半波長素子の例を示す。図２（Ａ）では、分割半波長素子を上半分の半円形状の分割半波長板２０１としている。光源１０１は直線偏光を出力し、光ビーム２０２の断面は円形状で光軸に軸対称な強度分布を持つとしたが、強度分布はＸＹ軸方向に主軸をもつ楕円形状でもよい。カー効果を受けない状態での光ビームの偏光方位が分割半波長板２０１の主軸方位２０３にほぼ一致し、かつ光ビーム２０２のほぼ半分が分割半波長板２０１を通過するようにする。図では、分割半波長板２０１の主軸方位２０３を図のＸ軸を基準にして０度（０ラジアン）とし、カー効果を受けない状態（被測定磁性体１０７に磁化がない状態）での分割半波長板２０１への入射光ビームの偏光方位が０度になるようにした。カー回転角＋δラジアンを受けて偏光方位角が＋δラジアンとなった偏光方位２０４の光が入射した場合、半波長板２０１を通過した光の偏光方位２０５の角度は−δラジアンとなる。
【００５５】
ここで、±４５度の直交する偏光成分を分離して差動偏光検出を行うこととすると、カー回転が検出され、楕円偏光化と反射率の変化は検出されない。
【００５６】
図２（Ｂ）は、分割半波長板２０１の下側に複屈折性をもたないほぼ同じ厚みのガラス板２１１などを接合したもので、ホルダーなどへの取り付けが容易となる。また、分割半波長板２０１の光透過率とほぼ同一の光透過率をもつ材料のガラス板２１１を使うと、複屈折以外の光学特性を上下で均質にでき、測定誤差を低減できる。
【００５７】
［反射光に対する分割偏光操作（分割半波長板によるカー回転角反転）］
（構成２）図１の「１８０度回転非対称偏光素子」１１１は、半波長の位相差を発生する素子２０１を構成要素として含み、光束２０２の断面内で非一様に作用する分割半波長素子とする。
【００５８】
ここで半波長素子２０１とは、光束の直交する偏光成分に半波長の奇数倍の位相差を発生させる作用をもつ素子を指し、複屈折をもつ水晶から作られた半波長板が一般的なものであるが、他の構造のものもある。
【００５９】
光束断面内で非一様に半波長素子が作用するようにすることで、光学系の１８０度回転に対する対称性を崩すことができる。例えば、１８０度回転で移りあう領域の一方のみに半波長素子が作用するようにすればよい。
【００６０】
以下、特にカー回転のみを考える。半波長素子２０１はその主軸方位角をθとし、入射光の偏光方位角（楕円偏光の場合は楕円主軸の方位角）をφとすると、その透過光の偏光方位角φ’は、φ’＝θ＋（θ−φ）＝２θ−φとなる。今、入射偏光の方位角がカー回転δを受けてφ＋δになったとすると、透過光の偏光はφ”＝２θ−（φ＋δ）＝φ’−δとなる。特に、φ＝θとするとφ’＝φ、φ”＝φ−δで、半波長素子の偏光回転作用はカー回転成分δの符号を反転させるだけの作用になる。
【００６１】
光束断面内での強度分布と偏光状態分布が光学系の光軸のまわりの１８０度回転対称性をもつ光源からの光束を集光手段により被測定磁性体に垂直に集光照射し、反射光を集光手段で集光した光束の断面内における偏光状態分布を考える。
【００６２】
垂直磁化成分による偏光状態と反射率の変化は、反射光束断面内の光軸まわりの１８０度回転で互いに移りあう点どうしで等しくなる。半波長素子２０１の作用を２つの領域の一方のみに作用し、かつその主軸方位角をカー効果の無いときのこの素子への入射偏光方位角に一致するようにすると、両領域において偏光分離検出器の垂直磁化成分によるカー回転に対する感度を打ち消すことができる。偏光分離検出器の前の反射光束が通る断面領域全体を２つ以上の領域に分割し、各領域において上記の関係がほぼ成立するように分割半波長素子を作成して偏光分離検出器の前に挿入すれば、面内磁化成分に対する感度を確保すると同時に、垂直磁化成分によるカー回転に対する感度を下げることができる。
【００６３】
（構成３）分割半波長素子１１１は、光束が作用する断面領域内で光軸と交差する直線を境界線として分割され、その一方の領域に作用する光に対してのみ半波長の位相差を半波長板２０１により発生するように構成する。
【００６４】
光束断面内での強度分布（の等強度線）が楕円形状でその楕円主軸方位に偏光方位をもつ直線偏光をもつ光源からの光束光軸を光学系の光軸に一致させて、集光手段により被測定磁性体に垂直に集光照射し、反射光を集光手段で集光した光束の断面内における偏光状態分布を考える。
【００６５】
光軸と光源の偏光方位を含む境界面による鏡映を考える。この鏡映に対して、磁性体への入射偏光分布は対称である。鏡映面に垂直な面内磁化成分はこの鏡映で反転しない。従って、この磁化成分による反射光束断面内の偏光分布は鏡映対称になり、鏡映で移りあう点同士でカー回転の絶対値は同じで方向は反転し、反射率は等しい。
【００６６】
一方、鏡映面にそった面内磁化成分と、磁性体表面に垂直な磁化成分は鏡映で反転することから、反射光束断面内の鏡映で移り合う点は、互いに磁化を反転後鏡映した状態に等しく、カー回転は同じで反射率の変化は逆符号になる。
【００６７】
分割半波長素子の主軸方位に直線の境界線をもち、かつ、光源の偏光方位（又は、カー効果を受けないときの素子への入射偏光方位）に一致又は直交させたとすると、境界線で分けられた一方の側を通る光のみカー回転が反転される。
【００６８】
偏光分離検出系の偏光分離方向を鏡映面に対して±４５度の方向とし、両偏光成分の差動偏光検出を行えばカー回転が検出され、反射率の変化や楕円偏光化は検出されない。従って、反射光束全体での差動偏光検出器出力では、ここで考えた鏡映面に垂直な面内磁化成分のみが検出される。
【００６９】
図２（Ａ）において、Ｙ軸方向の面内磁化成分によるカー効果の場合は、Ｘ軸を鏡映線とする鏡映に関して対称に生じるため、カー回転は互いに鏡映で移り合う点で逆向きになる。また、垂直磁化成分とＸ軸方向の面内磁化成分によるカー効果では、Ｘ軸の鏡映で移り合う点でカー回転は同じになる。従って、分割半波長板でその一方のカー回転角が反転されると、垂直磁化成分とＸ軸方向の面内磁化成分は検出がキャンセルされ、Ｙ軸方向の面内磁化成分のみが検出される。
【００７０】
（第３の実施形態）
図３（Ａ）及び（Ｂ）は、本発明の第３の実施形態による１８０度回転非対称偏光素子１１１（図１）の典型例である分割偏光回転素子の例を示す。図３（Ａ）の例は、分割偏光回転素子として半円形状の旋光子板で構成した分割旋光性素子３０１としている。旋光性素子３０１は、水晶などの旋光性結晶から作成できる。この半円形状の分割旋光性素子３０１は、透過光の偏光を＋９０度（π／２ラジアン）回転３０３する作用をもつ。光源１０１は直線偏光を出力し、光ビーム３０２の断面は円形状で光軸に軸対称な強度分布を持つとしたが、強度分布はＸＹ軸方向に主軸をもつ楕円形状でもよい。光ビーム３０２の上半分がこの分割旋光性素子３０１を透過し、下半分はなにも作用されずに素通りしていく。カー回転を受けない状態での分割旋光素子３０１に入射する光の偏光方位角を０度（０ラジアン）とした。カー回転角＋δラジアンを受けて偏光方位角が＋δラジアンとなった偏光方位３０４の光が入射した場合、分割旋光性素子３０１を通過した光の偏光方位角３０５はπ／２＋δラジアンとなる。分割旋光性素子３０１を透過した光と素通りした光の±４５度の直交する偏光成分の差動偏光検出を差動アンプ１１７で行うと、分割旋光素子３０１を透過した光と素通りした光のカー回転は互いに逆符号で検出されることになる。従って、Ｙ軸方向の面内磁化成分のみが検出される。
【００７１】
図３（Ｂ）は、分割旋光性素子３０１の下側に旋光性をもたないほぼ同じ厚みのガラス板３１１などを接合したもので、図２（Ｂ）と同様の効果がある。
【００７２】
なお、ファラデーガラスや磁性ガーネットなどに磁界を印加したファラデー回転素子でも光を片側からのみ通すかぎりは、旋光性素子と同じ働きをするため、上記と同様にして使用できる。
【００７３】
［反射光に対する分割偏光操作（偏光回転子による検出感度反転）］
（構成４）図１の「１８０度回転非対称偏光素子」１１１は、偏光回転素子３０１を構成要素として含み、光束３０２の断面内で非一様な偏光回転作用をもつ分割偏光回転素子１１１を構成要素として含む。
【００７４】
ここでいう偏光回転素子３０１とは任意の偏光状態を一定の角度回転する素子をいい、入射偏光方位によって偏光回転角のことなる半波長素子とは区別する。偏光回転素子３０１は、自然旋光性をもつ水晶などの物質から作ることができる。自然旋光性を利用して作成した偏光回転素子３０１を以下では旋光素子とよぶことにする。旋光素子では光を往復させると偏光回転が打ち消す。ファラデー効果を利用した偏光回転素子（ファラデー素子と呼ぶことにする）もあるが、旋光素子と異なり、光を往復させたときに偏光回転が２倍になる。しかし、光が片側からのみ透過するように使用する限りは、旋光素子と働きが同等とみなせる。
【００７５】
光束断面内で非一様に偏光回転素子が作用するようにすることで、光学系の１８０度回転に対する対称性を崩すことができる。例えば、１８０度回転で移りあう領域の一方のみに偏光回転素子が作用するようにすればよい。
【００７６】
以下、特にカー回転のみを考える。偏光回転素子は半波長素子とことなり偏光のカー回転を反転しない。しかし、カー効果がない状態での偏光方位（楕円偏光の場合はその楕円主軸の方位）が、偏光分離検出器の偏光分離方向に対して対称な角度に偏光回転素子で回転するようにしておくと、偏光分離検出器出力のカー回転に対する変化量の符号を反転することができる。従って、例えば、光軸のまわりの１８０度の回転で互いに移りあう領域の一方又は両方に偏光回転素子を作用させ、両領域のカー効果のないときの偏光方位が偏光分離検出器の偏光分離方向からの角度が互いに逆符号で絶対値が等しいようにすれば、両領域において偏光分離検出器の垂直磁化成分によるカー回転に対する感度を打ち消すことができる。偏光分離検出器の前の反射光束が通る断面領域全体を２つ以上の領域に分割し、各領域において上記の関係がほぼ成立するように分割偏光回転素子を作成して偏光分離検出器の前に挿入すれば、面内磁化成分に対する感度を確保すると同時に、垂直磁化成分によるカー回転に対する感度を下げることができる。
【００７７】
（構成５）上記の分割偏光回転素子は、光束が作用する断面領域内で光軸と交差する直線を境界線として分割され、その一方の領域の偏光回転角と、もう一方の領域の偏光回転角が異なるように構成する。一方の偏光回転角がゼロでもよい。
【００７８】
以下、特にカー回転のみの作用を考える。光束断面内での強度分布（の等強度線）が楕円形状でその楕円主軸方位に偏光方位をもつ直線偏光をもつ光源からの光束の中心軸を光学系の光軸に一致させて、集光手段により被測定磁性体に垂直に集光照射し、反射光を集光手段で集光した光束の偏光状態分布を考える。
【００７９】
分割偏光回転素子の境界線の方向は光源の偏光方位（又は、カー効果を受けないときの素子への入射偏光方位）を一致させたとする。分割偏光回転素子の境界線と光軸を含む境界面による鏡映を考える。この鏡映に対して、磁性体への入射偏光分布は対称である。鏡映面に垂直な面内磁化成分はこの鏡映で反転しない。従って、この磁化成分による反射光の偏光分布は、鏡映対称になり、反射光束断面内の鏡映で移りあう点同士でカー回転の方向は反転し、反射率は等しい。
【００８０】
従って、鏡映面で分かれる２つの側の反射光の偏光を、分割偏光回転素子で異なる角度回転し、偏光分離検出器の偏光分離方向を両回転の中央の角度に設定すると、鏡映で移りあう両側の微小領域における偏光回転による偏光分離検出器の出力特性を線型でかつ極性を反転することができるため、両側の互いに逆向きのカー回転による偏光分離検出器の出力がキャンセルせずに足し合わされる。
【００８１】
一方、鏡映面にそった面内磁化成分と、磁性体表面に垂直な磁化成分は鏡映で反転することから、互いに磁化を反転後鏡映した状態に等しく、カー回転は同じで反射率の変化は逆符号になる。従って、鏡映で移りあう両側の微小領域におけるカー回転による偏光分離検出器の出力はキャンセルされる。
【００８２】
従って、垂直磁化成分と鏡映面にそった磁化成分によるカー回転はキャンセルされ、鏡映面に垂直な面内磁化成分によるカー回転は検出される。
【００８３】
（構成６）上記の分割偏光回転素子の領域により異なる偏光回転角度の差の絶対値を１０度以下とすることが好ましい。光源の出力光を直線偏光とし、カー効果のない状態で分割偏光回転素子と作用した光の異なる偏光方位の中間の方向又はそれに直交する方向に偏光分離検出器の偏光分離方向をそろえることで、いわゆるクロスニコル状態から少しずれた状態に相当する状態での検出が可能になる。これにより、カー回転による信号量に対する検出光量の比率を大幅に抑えることができる。従って、光電変換後の直流オフセット成分を減らすことができ、検出信号のコントラストを上げることができる。
【００８４】
（構成７）上記の分割偏光回転素子の領域により異なる偏光回転角度の差を９０度とすることが好ましい。この場合、偏光分離検出器の偏光分離方向を適当にとって差動偏光検出を行うと、カー効果が無い状態での差動偏光検出器の出力をほぼゼロとすることができ、光量の変化が検出信号に現れるのを抑えることができる。従って、磁気光学効果による反射率の変化を除去してカー回転のみを検出でき、特に前記（構成５）で述べた条件において鏡映面に垂直な面内磁化成分のみを検出することも可能になる。また、光量ノイズが大きいような場合に、カー回転による信号成分の検出を高いＳ／Ｎで測定することができる。
【００８５】
（第４の実施形態）
図４は、本発明の第４の実施形態による１８０度回転非対称鏡映対称偏光素子１１１（図１）の典型例である分割半波長素子の例を示す。この例では、上半分の第１の分割半波長板４０１の主軸４１１の方位角をθ１＝　π／８ラジアン、下半分の第２の分割半波長板４０２の主軸４２１の方位角をθ２＝　−π／８ラジアンとした。光源からの出力光束は直線偏光であり、光学系の光軸のまわりの１８０度回転対称性と、光軸と偏光方位を含む面に対して鏡映対称性をもつ。その偏光方位をＸ軸とし、カー効果を受けない状態での分割波長板に入射する偏光方位角を０ラジアンとした。
【００８６】
偏光分離検出器の偏光分離方向をＸとＹ軸方向にしての差動偏光検出を行うとする。カー回転角＋δラジアンを受けた偏光方位４１２をもつ光が第１及び第２の分割半波長板４０１，４０２に入射した場合を考えると、第１の分割半波長板４０１を透過した光の偏光方位角４１３はφ１’　＝π／４−δラジアン、第２の分割半波長板４０２を透過した光の偏光方位角４２３はφ２’＝−π／４−δラジアンとなる。第１及び第２の分割半波長板４０１，４０２を透過した光の偏光方位４１３，４２３に対して差動偏光検出を行うと、第１及び第２の分割半波長板４０１，４０２を透過した光の偏光方位４１３，４２３のカー回転は互いに逆符号の信号として検出されることになる。
【００８７】
Ｙ軸方向の面内磁化成分によるカー効果の場合は、Ｘ軸を鏡映線とする鏡映で対称に生じるため、カー回転は互いに鏡映で移り合う点で逆向きになるが、分割半波長素子が作用することで互いに逆符号で検出されるため、加算されて検出される。
【００８８】
また、垂直磁化成分とＸ軸方向の面内磁化成分によるカー効果では、Ｘ軸の鏡映で移り合う微小領域でカー回転は同じになり、分割半波長素子の作用により互いに逆符号で検出されるため、打ち消される。従って、Ｙ軸方向の面内磁化成分のみが検出される。
【００８９】
以上の説明では、集光手段や被測定磁性体での金属的反射による偏光の変化を無視している。しかし、より厳密には、光源とこの分割半波長素子と偏光分離検出器と他の光学素子のもつＸ軸に対する鏡映対称性から、直接、Ｙ軸方向の面内磁化成分以外は検出されないことがわかる。
【００９０】
［反射光に対する分割偏光操作（１８０度非対称及び鏡映対称）］
（構成８）光源１０１からの光束を集光手段１０６により集光して被測定磁性体１０７に照射し、その反射光の偏光状態や光量の磁気光学効果による変化を一方向の偏光成分又は互いに直交する偏光成分を分離してその各成分の光量を検出する偏光分離検出器１１３〜１１７，１１９〜１２１によって検出することで被測定磁性体の磁化状態を測定する磁化測定装置であって、被測定磁性体１０７で反射した光束のみに作用し、光束断面内の偏光分布への作用が、光学系の光軸まわりの１８０度回転に対する非対称性と、光軸を含むある平面に対する鏡映対称性をもつ「１８０度回転非対称鏡映対称偏光素子」１１１を備えることで、被測定磁性体１０７の面内磁化成分に対する感度をもたせる。多分割板の移動使用も含まれる。
【００９１】
上記の１８０度回転非対称鏡映対称偏光素子１１１のもつ鏡映面に対する鏡映を考えると、鏡映面に垂直な面内磁化成分は、鏡映により向きを変えず、鏡映面に沿った面内磁化成分は、鏡映により向きが反転し、磁性体の垂直磁化成分は、鏡映により向きを反転する。
【００９２】
今、光源の強度分布と偏光分布はこの鏡映に対して対称であるとする。偏光分離検出器として、上記の鏡映に対して偏光検出特性が対称性をもつものを使用することにより、鏡映面に沿った面内磁化成分と磁性体の垂直磁化成分に対する感度をゼロとすることができ、鏡映面に垂直な磁化成分のみを検出できる。
【００９３】
また、偏光分離検出器として、上記の鏡映に対して偏光検出特性が反転するものを使用することにより、鏡映面に垂直な磁化成分に対する感度はゼロとし、鏡映面に沿った面内磁化成分と磁性体の垂直磁化成分のみを検出できる。
【００９４】
この１８０度回転非対称鏡映対称偏光素子１１１は、光透過率や反射率の分布、又は部分的な遮光によるのではなく偏光特性を利用して非対称性を生じているため、光量の損失がほとんど無いようにでき、光利用効率が高く、検出感度を高くすることが可能になる。
【００９５】
（構成９）上記の偏光分離検出器の偏光検出方位と上記鏡映面のなす角を９０度の整数倍にして置くことが好ましい。偏光分離検出器の偏光検出方位角と鏡映面のなす角を９０度の整数倍にして置いたとすると、偏光検出器の検出特性は鏡映に対する対称性をもつ。従って、この場合には、磁性体の垂直磁化成分と鏡映面に沿った面内磁化成分によるカー効果は検出されず、鏡映面に垂直な面内磁化成分によるカー効果のみが検出される。
【００９６】
（構成１０）上記の偏光分離検出器の偏光検出方位角と上記鏡映面のなす角を±４５度の角度で置き、差動偏光検出器とすることが好ましい。偏光分離検出器の偏光検出方位角と鏡映面のなす角を±４５度の角度で置いたとすると、鏡映変換に対して差動偏光検出器のカー効果の検出極性は反転する。従って、上記の構成９の場合とは逆に、磁性体の垂直磁化成分と鏡映面に沿った面内磁化成分によるカー効果が検出され、鏡映面に垂直な面内磁化成分によるカー効果は検出されない。
【００９７】
［反射光に対する分割偏光操作（分割半波長板で検出極性を反転）］
（構成１１）上記の「１８０度回転非対称鏡映対称偏光素子」１１１は、光束が作用する領域内で、２つ以上に分割された領域に対して２つ以上の異なる主軸方位角をもつ半波長の位相差を発生する素子を構成要素として含む分割半波長素子とする。
【００９８】
平面領域を直交する２つの線を境界線として４つの領域に分ける。そのうち隣り合う２つの領域をそれらの領域に挟まれる第１の境界線に対して鏡映対称性を持たない配置で半波長板を敷きつめる。次に、他方の第２の境界線を鏡映線として鏡映対称な型で他の２つの領域を半波長板で敷きつめれば、第２の境界線に対して鏡映対称で、第１と第２の境界線の交差する点を中心とした１８０度の回転に対して非対称な光学素子を作成することができる。なぜなら、第２と第１の境界線に対する鏡映を繰り返すと、その交差点まわりの１８０度の回転操作になるからである。
【００９９】
このようにして、半波長板からなる構成８の条件を満たす１８０度回転非対称鏡映対称偏光素子を作成でき、面内磁化成分の検出が可能になる。また、構成９及び構成１０の方法で測定する磁化成分を選択できる。
【０１００】
（構成１２）上記構成１１の分割半波長素子は、光束が作用する断面領域内で光軸を通る直線を境界線として分割され、その両領域の主軸方位は境界線に対して絶対値が同じで互いに符号の異なるゼロ度ではない所定の角度をなすように構成する。
【０１０１】
このような分割半波長板は、境界線に対して鏡映対称性をもち、１８０度回転に対して対称性をもたないため、構成８の１８０度回転非対称鏡映対称偏光素子となり、面内磁化成分の検出が可能になる。また、構成９及び構成１０の方法で測定する磁化成分を選択できる。また、一つの半波長板を主軸方位に対して傾いた角度で切断し、一方を裏返して切断面同士を接合することで容易に製作が可能である。
【０１０２】
（構成１３）上記構成１１及び構成１２の分割半波長素子は、光束が作用する断面領域内で分割された領域の主軸方位が、鏡映対称面と光束断面の交差する線、又は上記分割境界線となす角の絶対値が０度でなくかつ５度以下とする。
【０１０３】
光源の出力光を直線偏光とし、この偏光方位を分割半波長素子の鏡映対称線方向又はそれに直交する方向に合わせ、偏光分離検出器の偏光検出方位を光源の偏光方位（すなわち、カー効果と分割半波長素子がないときに偏光検出器に入射する光の偏光方位）に直交する方向に合わせると、カー回転による信号量に対する検出光量の比率を大幅に抑えることができる。従って、光電変換後の直流オフセット成分を減らすことができ、検出信号のコントラストを上げることができる。
【０１０４】
（構成１４）上記構成１１及び構成１２の分割半波長素子は、光束が作用する断面領域内で分割された領域の主軸方位が、鏡映対称面と分割半波長素子に入射する光の光束断面との交差する線、又は上記分割境界線となす角を±２２．５度とする。
【０１０５】
光源の出力光を直線偏光とし、光源の偏光方位（すなわち、カー効果がないときに分割半波長素子に入射する光の偏光方位）に分割半波長素子の主軸方位を合わせれば、透過光の異なる偏光方位間の角度差を概略９０度とすることができる。差動偏光検出の偏光分離方向を分割半波長素子の鏡映対称線とそれに直交する方向に合わせることで、カー効果が無い状態での差動偏光検出信号をほぼゼロとすることができ、光量の変化が検出信号に現れるのを抑えることができる。従って、光量ノイズが大きいような場合に、カー効果による信号成分の検出を高いＳ／Ｎで測定することができる。
【０１０６】
（第５の実施形態）
図５は、本発明の第５の実施形態による１８０度回転非対称鏡映対称偏光素子１１１（図１）の典型例である分割１／４半波長素子の例を示す。この例では、上半分の第１の分割１／４波長板５０１の主軸（遅相軸、又は進相軸のどちらか一方）５１１の方位角をθ１＝　π／４ラジアン、下半分の第２の分割１／４波長板５０２の主軸５２１の方位角をθ２＝　−π／４ラジアンとした。カー効果を受けない状態での分割１／４波長板５０１，５０２に入射する直線偏光の偏光方位角を０ラジアンとした。
【０１０７】
偏光分離検出器の偏光分離方向をＸとＹ軸方向にしての差動偏光検出を行うとする。カー回転＋δラジアンを受けた直線偏光が入射した場合を考えると、第１及び第２の分割１／４波長板５０１及び５０２を透過した光は±４５度方向に楕円主軸方位をもった左及び右に回転する楕円偏光となり、カー回転に対する感度を生じない。
【０１０８】
カー効果による楕円偏光化のみを考えると、０度と９０度方向に楕円主軸方位をもったある回転方向の楕円偏光となり、第１及び第２の分割１／４波長板５０１，５０２を透過した光の偏光５１３，５２３は楕円の縦横比が逆になる。また楕円偏光の楕円上を回転する電気ベクトルの回転方向（以下、楕円回転方向とよぶ）が逆になると、透過光の楕円の縦横比が逆になる。
【０１０９】
被測定磁性体の垂直磁化成分によるカー効果では、反射光束内での光軸まわりの１８０度回転で移り合う微小領域同士で同じカー楕円率と楕円回転方向を生じ、第１及び第２の分割１／４波長板５０１，５０２を透過した光は楕円の縦横比が逆になって差動偏光検出器出力では打ち消し合い、全光束断面でも打ち消す。
【０１１０】
Ｙ軸方向の面内磁化成分によるカー効果の場合は、Ｘ軸を鏡映線とする鏡映で対称に生じるため、鏡映で互いに移り合う微小領域でカー楕円率は同じで楕円回転方向が逆向きになり、第１及び第２の分割１／４波長板５０１，５０２を透過すると楕円の縦横比が同じになるため、２つの微小領域のカー楕円偏光化は差動偏光検出器で加算されて検出され、全光束断面でも加算される。
【０１１１】
また、Ｘ軸方向の面内磁化成分によるカー効果では、鏡映で互いに移り合う微小領域でカー楕円率も楕円回転方向も同じになり、第１及び第２の分割１／４波長板５０１，５０２を透過すると楕円の縦横比が逆になって差動偏光検出器出力では打ち消し合い、全光束断面でも打ち消す。従って、Ｙ軸方向の面内磁化成分のみが検出される。
【０１１２】
また、光源とこの分割１／４半波長素子と偏光分離検出器と他の光学素子のもつＸ軸に対する鏡映対称性からも、直接、Ｙ軸方向の面内磁化成分以外は検出されないことがわかる。
【０１１３】
［反射光に対する分割偏光操作（分割１／４波長素子で検出極性を反転）］
（構成１５）上記構成８の「１８０度回転非対称鏡映対称偏光素子」１１１は、光束が作用する領域内で、２つ以上に分割された領域に対して２つ以上の異なる主軸方位角をもつ１／４波長の位相差を発生する素子を構成要素として含む分割１／４半波長素子とする。
【０１１４】
平面領域を直交する２つの線を境界線として４つの領域に分ける。そのうち隣り合う２つの領域をそれらの領域で挟まれる第１の境界線に対して鏡映対称性を持たない配置で１／４波長素子を敷きつめる。次に、他方の第２の境界線を鏡映線として鏡映対称な型で他の２つの領域を敷きつめれば、第２の境界線に対して鏡映対称で、第１と第２の境界線の交差する点を中心とした１８０度の回転にたいして非対称な光学素子を作成することができる。このようにして、１／４波長板からなる構成８の条件を満たす１８０度回転非対称鏡映対称偏光素子を作成でき、面内磁化成分の検出が可能になる。また、構成９及び構成１０の方法で測定する磁化成分を選択できる。
【０１１５】
（構成１６）上記構成１５の分割１／４半波長素子は、光束が作用する断面領域内で光軸と交差する直線を境界線として分割され、その両領域の１／４波長素子の主軸方位は境界線に対して絶対値が同じで互いに符号の異なるゼロ度ではない所定の角度をなすように構成する。
【０１１６】
このような分割１／４波長板は、境界線に対して鏡映対称性をもち、１８０度回転にたいして対称性をもたないため、構成８の１８０度回転非対称鏡映対称偏光素子となり、面内磁化成分の検出が可能になる。また、一つの１／４波長板を主軸方位に対して傾いた角度で切断し、一方を裏返して切断面同士を接合することで容易に製作が可能である。
【０１１７】
（構成１７）上記構成１５及び構成１６の分割１／４半波長素子は、光束が作用する断面領域内で分割された領域の主軸方位が、鏡映対称面と光束断面の交差する線、又は上記境界線となす角を±４５度とする。
【０１１８】
光源の出力光を直線偏光とすれば、カー効果のない状態で分割１／４波長素子に入射する偏光は概略直線偏光となり、この偏光方位に分割１／４半波長素子の鏡映対称面を合わせれば、両領域の透過光を概略円偏光とすることができる。従って、カー効果が無い状態での差動偏光検出信号をほぼゼロとすることができ、光量の変化が検出信号に現れるのを抑えることができる。従って、光量ノイズが大きいような場合に、カー効果による信号成分の検出を高いＳ／Ｎで測定することができる。
【０１１９】
（第６の実施形態）
図６は、本発明の第６の実施形態による１８０度回転非対称鏡映対称偏光素子１１１（図１）である分割偏光回転素子の例を示す。この例では、分割偏光回転素子として半円形状の２つの互いに回転角が逆向きの旋光子板６０１及び６０２で構成した分割旋光性素子を使用している。図の上側半円形状の第１の分割旋光性素子６０１は、透過光の偏光を＋４５度（π／４ラジアン）回転６１２する作用をもち、下側半円形状の第２の分割旋光性素子６０２は、透過光の偏光を−４５度（−π／４ラジアン）回転６２２する作用をもつ。光ビーム６０３の上半分が第１の分割旋光性素子６０１を透過し、下半分は第２の分割旋光性素子６０２を透過していく。
【０１２０】
カー回転を受けない状態での分割旋光素子に入射する光の偏光方位角を０度（０ラジアン）とした。カー回転角＋δラジアンを受けて偏光方位角がδラジアンとなった光の偏光方位６１１が第１及び第２の分割旋光性素子６０１，６０２に入射した場合、第１の分割旋光性素子６０１を通過した光の偏光方位６１３の角度はπ／４＋δラジアンとなり、第２の分割旋光性素子６０２を通過した光の偏光方位６２３の角度は−π／４＋δラジアンとなる。第１及び第２の分割旋光性素子６０１，６０２を透過した光の直交するＸ及びＹ偏光成分を検出すると、互いに逆符号でカー信号が検出されることになる。従って、上記図４の説明と同様に、Ｙ軸方向の面内磁化成分のみが検出される。
【０１２１】
また、光源とこの分割偏光回転素子と偏光分離検出器と他の光学素子のもつＸ軸に対する鏡映対称性からも、直接、Ｙ軸方向の面内磁化成分以外は検出されないことがわかる。
【０１２２】
［反射光に対する分割偏光操作（偏光回転素子で検出極性を反転）］
（構成１８）上記構成８の「１８０度回転非対称鏡映対称偏光素子」１１１は、光束が作用する領域内で、偏光回転作用が非一様な分布をもつ分割偏光回転素子とする。
【０１２３】
平面領域を直交する２つの線を境界線として４つの領域に分ける。そのうち隣り合う２つの領域をそれらの領域で挟まれる第１の境界線に対して鏡映対称性を持たないように偏光回転素子を敷きつめる。次に、他方の第２の境界線を鏡映線として鏡映対称な型で他の２つの領域を偏光回転素子で敷きつめれば、第２の境界線に対して鏡映対称で、第１と第２の境界線の交差する点を中心とした１８０度の回転にたいして非対称な光学素子を作成することができる。このようにして、偏光回転素子からなる構成８の条件を満たす１８０度回転非対称鏡映対称偏光素子を作成でき、面内磁化成分の検出が可能になる。また、構成９及び構成１０の方法で測定する磁化成分を選択できる。
【０１２４】
（構成１９）上記構成１８の分割偏光回転素子は、光束が作用する断面領域内で光軸と交差する直線を境界線として分割され、その一方の偏光回転角が他方の偏光回転角と絶対値が同じで符号の異なるゼロではない値となるように構成する。
【０１２５】
まず、このような分割偏光回転素子の偏光特性は分割境界線に対して鏡映対称性をもち、１８０度回転にたいして対称性をもたないため、構成８の１８０度回転非対称鏡映対称偏光素子となり、面内磁化成分を検出できる。また、構成９及び構成１０の方法で測定する磁化成分を選択できる。
【０１２６】
（構成２０）上記構成１８の分割偏光回転素子の領域により異なる偏光回転角の角度差の絶対値を１０度以下とする。
光源の出力光を直線偏光とし、この偏光方位を鏡映対称線方向又はそれに直交する方向に合わせ、偏光分離検出器の偏光検出方位を光源の偏光方位（すなわち、カー効果と分割半波長素子がないときに偏光検出器に入射する光の偏光方位）に直交する方向に合わせると、カー回転による信号量に対する検出光量の比率を大幅に抑えることができる。従って、光電変換後の直流オフセット成分を減らすことができ、検出信号のコントラストを上げることができる。分割偏光回転素子が鏡映対称性を持たない場合でも、光源の偏光方位と偏光検出器の偏光検出方向をほぼ一致させると、上記と同様の効果が得られる。
【０１２７】
（構成２１）上記構成１８の分割偏光回転素子の領域により異なる偏光回転角の角度差を±９０度とする。
光源の出力光を直線偏光とすれば、分割偏光回転素子の透過光の異なる偏光方位間の偏光回転角度差をカー効果の無い状態において±９０度とすることができる。差動偏光検出の偏光分離方向をこれらと±４５度をなすように合わせることで、カー効果が無い状態での差動偏光検出信号をほぼゼロとすることができ、光量の変化が検出信号に現れるのを抑えることができる。従って、光量ノイズが大きいような場合に、カー効果による信号成分の検出を高いＳ／Ｎで測定することができる。
【０１２８】
（第７の実施形態）
図７は、本発明の第７の実施形態による１８０度回転非対称鏡映対称偏光素子である分割半波長素子７１９を使用したサンプリング式走査型カー顕微鏡の例を示す。この装置は、主に磁気記録装置に使用される磁気記録ヘッド７１０のライト磁極の高速磁化応答を測定する目的のものである。磁気ヘッド７１０はパターンジェネレータ７０６からのパターン信号７０８に従って、ヘッドドライバ７０９により電流駆動される。一方、パターンジェネレータ７０６からはパターン信号に同期したトリガ信号７０７が遅延回路７０５に入力される。遅延回路７０５はＣＰＵ７０１からの制御信号７０４に従って任意の（可変の）遅延時間がかかったトリガ７１１及び７３０をレーザドライバ７１２及びＡ／Ｄ変換器７３１に入力する。レーザドライバ７１２は入力トリガ７１１によりドライブパルス７１３を発生し、半導体レーザ７１４をパルス駆動する。半導体レーザ７１４はこのパルス駆動により光パルス７１５を発生する。ここでは、波長４００ｎｍの半導体レーザ７１４を使用し、半値全幅３０ｐｓのレーザパルス７１５を発生する。
【０１２９】
図では省略したコリメート光学系でコリメートされたレーザパルス７１５はビームスプリッタ７１６とファラデーセル７１７を通ってから集光手段である対物レンズ７１８に入射される。対物レンズ７１８は図では省略したレボルバで切り換え可能であり、高い空間分解能を得ようとする場合は、図のようなソリッドイマージョンレンズ（ＳＩＬ）の付いた対物レンズ（ＮＡ：２．０）７１８を使用する。磁気ヘッド７１０の磁極に集光されて反射したレーザパルスは、再び対物レンズ７１８で集光されてコリメート光となり、ファラデーセル７１７を通過後、ビームスプリッタ７１６で反射して分割半波長素子７１９を通る。その後、偏光ビームスプリッタ（ＰＢＳ）７２１で直交する２つの偏光成分に分離され、その一方はプリズムミラー７２４で反射され、レンズ７２２及び７２５で集光してそれぞれ光検出器７２３及び７２６に入射する。光検出器７２３，７２６としてはアバランシェフォトダイオード（ＡＰＤ）を使用した。ＡＰＤの各出力電流は、図では省略したＩ／Ｖ変換アンプで電圧値に変換された後、アンプ７２７に入力して差信号７２８と和信号７２９が演算増幅されて出力される。
【０１３０】
差信号７２８と和信号７２９は、２チャンネルのＡ／Ｄ変換器７３１において、遅延回路７０５からのトリガ信号７３０に適当な遅延をかけたタイミングでＡ／Ｄ変換され、その変換データ７３２がＣＰＵ７０１に渡される。これにより、磁気ヘッド７１０の磁極上のレーザパルス集光スポット位置における任意のタイミングにおける磁化状態が、３０ｐｓの時間分解能で測定できる。遅延回路７０５で発生する遅延時間をＣＰＵ７０１から制御してずらしながら測定を繰り返すことで、磁化の時間変化波形を測定することができる。また、ＣＰＵ７０１からの制御信号７２０により、磁気ヘッド７１０が固定されているピエゾステージ７０３を走査しながら測定を繰り返すことで、任意のタイミングにおける磁化分布や、磁化分布の時間変化も測定できる。
【０１３１】
ここで、ファラデーセル７１７は、ファラデー効果をもつ物質に電流コイルを巻いて磁界を印加できるようにしたもので、コイル電流とファラデー効果による偏光回転角度の関係をあらかじめ測定してある。コイル電流はＣＰＵ７０１から制御でき、垂直磁化測定モードにおいて、コイル電流とＡ／Ｄ変換データ７３２の関係を測定することができる。これにより、Ａ／Ｄ変換データ７３２を偏光回転角度に換算することができる。この垂直磁化測定モードで測定した関係を面内磁化測定モードにおいても使用することで、面内磁化測定でも偏光回転角度に換算することができる。これは、後に説明する（構成６０）の例である。
【０１３２】
分割半波長素子７１９はステージ７２０に固定され、その移動により垂直磁化測定モード、面内磁化Ｙ成分測定モード、面内磁化Ｘ成分測定モードの間で切り換えられる。
【０１３３】
図８（Ａ）及び（Ｂ）は、この装置に取り付けた分割半波長素子７１９の第１の構成例である２分割半波長板を示す。図８（Ａ）において、１つの円形の半波長板をその主軸方位に２２．５度傾いた直線で半分に切断し、一方を裏返して切断面同士を接合して作成した。半波長板８０１の主軸８０３は＋２２．５度であり、半波長板８０２の主軸８０４は−２２．５度である。接合線である境界線の中央位置にレーザビーム８０５が透過するように、この２分割半波長板の位置をステージで調整することで、面内磁化Ｙ成分測定モードにできる。また、レーザビーム８０６がこの境界線を通らない上下の位置になるようにずらすことで、垂直磁化成分測定モードにできる。また、図８（Ｂ）のように、２分割半波長板を９０度回転して、境界線の中央位置にレーザビーム８０５が透過するように、この２分割半波長板の位置をステージで調整することで、面内磁化Ｘ成分測定モードにできる。この際、半波長板８０１の主軸８０３は＋２２．５＋９０度であり、半波長板８０２の主軸８０４は−２２．５＋９０度である。
【０１３４】
図９は、この２分割半波長板をステージに固定したようすを示す。分割半波長板９１１は回転ステージ９０３に固定され、回転可能になっている。さらにそれがＹ軸ステージ９０２とＸ軸ステージ９０１に固定され、左右及び上下方向に移動可能になっている。分割半波長板９１１の境界線９１２を水平方向に合わせると、図８（Ａ）に対応し、面内Ｙ成分測定モードになる。分割半波長板９１１を回転させ、境界線９１３を垂直方向に合わせると、図８（Ｂ）に対応し、面内Ｘ成分測定モードになる。また、分割半波長板９１４を下方向に移動させると、垂直磁化成分測定モードになる。
【０１３５】
次に、この２分割半波長板を取り付けた状態で、パーマロイ膜の磁区観察を行った結果を説明する。背景ノイズを除去して明瞭な磁化分布を観察するために、パーマロイ膜の近くに備えた電磁石に流す電流をオン／オフして、パーマロイ膜への印加磁界をおおよそゼロにした状態と、パーマロイ膜の面内方向に磁界を印加してパーマロイ膜の磁化を横方向に揃えた状態との差を測定した。面内磁化Ｘ成分測定モードと面内磁化Ｙ成分測定モードで測定されたカー信号分布を得た。この画像から磁化方向を推測した。このカー測定後、パーマロイ膜への印加磁界をほぼゼロにした状態で、磁性微粒子を含んだ液体を塗布して磁壁を観察する方法であるビッター法でみた磁壁パターンも得た。カー測定でえられた磁区構造とよく似た磁区構造が観察された。細部が異なるのは、ヒステリシスのためやむをえない。このようにして、本実施形態の方法で面内磁化Ｘ，Ｙ成分の測定が分離して行えていることを確認できた。
【０１３６】
図１０（Ａ）は、この装置に取り付けた分割半波長素子の第２の構成例である４分割半波長板を示す。これは特に、後に説明する（構成３７）の例である。半波長板１００１の主軸１０１１は−２２．５度、半波長板１００２の主軸１０１２は＋２２．５度、半波長板１００３の主軸１０１３は＋２２．５度、半波長板１００４の主軸１０１４は−２２．５度である。±２２．５度の主軸方位角をもつ半波長板が、互いに直交する第１の境界線１０３１及び第２の境界線１０３２により分離されている。この２つの境界線１０３１，１０３２は図に示したような１つの直線１０３３と交差している。図１０（Ｂ）に示すように、この４分割半波長板１０５２を移動可能なモータステージ１０５１を設け、この直線１０３３にそった方向にこの４分割半波長板を移動可能にする。このステージの移動のみで光束がこの光学素子を透過する位置を第１の境界線１０３１上と第２の境界線１０３２上、および境界線のない領域との間で切り換えることが可能になっている。これにより、単軸のモータステージ１０５１のみにより、４分割半波長板を通過する光束１０２１，１０２２，１０２３，１０２４の位置を切り換えることが可能になっている。光束１０２１の位置は垂直磁化成分測定モード、光束１０２２の位置は面内磁化Ｙ成分測定モード、光束１０２３の位置は光束１０２１とは検出極性が反転する垂直磁化成分測定モード、光束１０２４の位置は面内磁化Ｘ成分測定モードとなる。
【０１３７】
図１１（Ａ）〜（Ｄ）は、上記のモータステージ１０５１に固定した４分割半波長板１０５２を使用して、磁気ヘッドの磁化分布と磁化の時間応答波形を測定した例を示す。高屈折率のソリッドイマージョンレンズ（ＳＩＬ）の付いた対物レンズを使用し、開口数ＮＡを２．０としている。図１１（Ａ）は磁気ヘッドの垂直磁化成分の分布を測定した結果の概略図である。また、この図上の１１０４の線に沿って垂直磁化成分１１４１ｚと面内磁化Ｙ成分１１４１ｙを測定した分布図を図１１（Ｄ）に示す。ライトギャップ１１０３を挟んで位置する上部磁極１１０１と下部磁極１１０２でライトギャップ１１０３よりに強く集中した逆符号の磁化分布が観察され、これは垂直磁化成分として期待されるとおりの結果となった。また、面内磁化Ｙ成分（紙面横方向）の分布を観察した結果、垂直磁化成分と異なり、ライトギャップ１１０３を挟んで上部磁極１１０１と下部磁極１１０２で同符号の磁化分布が観察され、これも面内磁化Ｙ成分の分布として期待される結果であった。これから、本装置で確かに垂直磁化成分と面内磁化成分を分離して測定できていることが確認できた。垂直磁化測定だけでなく、面内磁化測定においても高い空間分解能が得られ、Ｓ／Ｎも高い画像が得られた。
【０１３８】
図１１（Ｂ）は、磁気ヘッド上の位置１１１１、１１１２及び１１１３での垂直磁化（Ｚ）成分の時間応答波形を測定した結果を示す。横軸は時間、縦軸はカー回転を示す。波形１１２１、１１２２及び１１２３は、それぞれ磁気ヘッドの位置１１１１、１１１２及び１１１３の垂直磁化成分の波形を示す。
【０１３９】
図１１（Ｃ）は磁気ヘッド上の位置１１１１、１１１２及び１１１３での面内磁化Ｘ，Ｙ成分の磁化の時間応答波形を測定した結果を示す。横軸は時間、縦軸はカー回転を示す。波形１１３１ｙ、１１３２ｙ及び１１３３ｙは、それぞれ磁気ヘッドの位置１１１１、１１１２及び１１１３の面内磁化Ｙ成分の波形を示す。波形１１３３ｘは、磁気ヘッドの位置１１１３の面内磁化Ｘ成分の波形を示す。
【０１４０】
各成分で異なる時間応答が測定された。以上のように、ＳＩＬを使用しても、垂直磁化成分、面内磁化ＸＹ成分が分離して測定できることが確認できる。本実施形態の測定原理は基本的に物理法則の対称性を基礎とする方法であるため、フォトントンネリング現象、あるいはエバネッセント光と磁性体との間の磁気光学相互作用という複雑な現象が働くＳＩＬを使用しても有効に機能する。
【０１４１】
（第８の実施形態）
図１２は、本発明の第８の実施形態による測定装置を示す。図１の「１８０度回転非対称偏光素子」１１１が無い代わりに、光源として「１８０度回転非対称鏡映対称偏光光源」１２０１を備えている。ビームスプリッタ１０５のもつ偏光特性が鏡映対称性を崩さないように、ビームスプリッタ１０５の反射方向を光源１２０１のもつ鏡映対称面にそった方向か直交する方向に揃えるとよい。さらに、ビームスプリッタ１０５として無偏光無位相差特性のものを使用するとよい。また、光源１２０１からの光をビームスプリッタ１０５で反射させ、被測定磁性体１０７で反射してきた光をビームスプリッタ１０５で透過させるような配置にしてもよい。この光学系が実質的にもつ光軸のまわりの１８０度回転非対称性と鏡映対称性により、鏡映面に垂直な方向の面内磁化成分を測定することができる。
【０１４２】
なお、「１８０度回転非対称鏡映対称偏光光源」は、直線偏光光源１２０２と、分割偏光素子（分割半波長素子又は分割偏光回転素子）１２０３とから構成されていてもよい。また、光路中の適当な位置に半波長板を挿入してもよい。
【０１４３】
（第９の実施形態）
図１３は、本発明の第９の実施形態による分割半波長素子１２０３（図１２）の例を示す。上半分の第１の分割半波長板１３０１の主軸（遅相軸、又は進相軸）１３１１の方位角をπ／８ラジアン、下半分の第２の分割半波長板１３０２の主軸１３２１の方位角を−π／８ラジアンとした。光源１２０２は直線偏光を出力し、その偏光方位１３１２は０度とした。第１及び第２の分割半波長板１３０１，１３０２に偏光方位１３１２の光が入射すると、第１の分割半波長板１３０１を透過した光の偏光方位１３１３の角度はπ／４ラジアン、第２の分割半波長板１３０２を透過した光の偏光方位１３２３の角度は−π／４ラジアンとなる。その後、被測定磁性体１０７でカー回転角δを受けると、第１の分割半波長板１３０１を透過した光の偏光方位１３１４の角度はπ／４＋δラジアン、第２の分割半波長板１３０２を透過した光の偏光方位１３２４の角度は−π／４＋δラジアンとなる。直交するＸ及びＹ偏光成分を検出すると、第１及び第２の分割半波長板１３０１，１３０２を透過した光は互いに逆符号でカー回転が検出されることになる。従って、上記第４の実施形態の説明と同様に、Ｙ軸方向の面内磁化成分のみが検出される。
【０１４４】
また、光源とこの分割半波長素子と偏光分離検出器と他の光学素子のもつＸ軸に対する鏡映対称性からも、直接、Ｙ軸方向の面内磁化成分以外は検出されないことがわかる。
【０１４５】
［光源に対する分割偏光操作（によりカー回転検出極性を反転）］
（構成２２）光源として、その出力光束が、光軸に直交する光束断面内での強度分布は光軸回りの１８０度回転対称性をもつが偏光状態分布は同１８０度回転対称性をもたず、かつ、光軸を含むある面を境界面とした鏡映に対して光束断面内の強度分布と偏光状態分布がともに対称であるような「１８０度回転非対称鏡映対称偏光光源」１２０１を使用する。上記光源光出力から偏光分離検出器の直前までの光路にあって光束に作用する光学素子は、光束への光強度分布と偏光分布に対する作用が光軸回りの１８０度回転と上記鏡映面に対する鏡映に対して対称性をもつ。偏光分離検出器の１つ又は互いに直交する２つの偏光分離検出方位と上記鏡映面、又は、被測定磁性体による磁気光学作用のないときに入射する光束の鏡映対称面とのなす角を９０度の整数倍（０倍ももちろん含む）にしておくことで、被測定磁性体の面内磁化の１成分のみの分離測定を可能にする。
【０１４６】
光源の強度分布が光学系の光軸に対して軸対称又は１８０度回転対称で、反射光の偏光検出を光束の断面内で一様に行ったとしても、入射光束の偏光状態の分布を１８０度の回転に対して非対称にすることで、面内磁化成分を検出しうる。
【０１４７】
そこで、光源出力光を光学系の光軸のまわりの１８０度の回転に対して光束断面内の強度分布は対称、偏光状態の分布は非対称とし、かつ、光軸を含むある面に対する鏡映に対して、光源出力光の光束断面内の強度分布と偏光分布を対称とし、かつ、光源光出力から偏光分離検出器の直前までの光路にあって光束に作用する光学素子は、光束への光強度分布と偏光分布に対する作用が光軸回りの１８０度回転と上記鏡映面に対する鏡映に対して対称であり、かつ、偏光分離検出器の１つ又は互いに直交する２つの偏光分離検出方位と上記鏡映面、又は、被測定磁性体による磁気光学作用のないときに入射する光束の鏡映対称面とのなす角を９０度の整数倍にして置く。すると、この偏光分離検出器の特性もこの鏡映に対して対称になる。従って、測定装置の特性はこの鏡映で実際上対称（不変）である。
【０１４８】
一方、垂直磁化成分と鏡映面に沿った面内磁化成分は、この鏡映により反転し、鏡映面に垂直な面内磁化成分のみがこの鏡映に対して対称である。従って、この場合、垂直磁化成分と鏡映面に沿った面内磁化成分に対する感度はゼロになり、この鏡映面に垂直な磁化成分のみを選択して測定できる。
【０１４９】
この方法では、対物レンズ入射瞳全体に光を照射できるため、光利用効率が高く、空間分解能の劣化も少なく抑えたまま、面内磁化の一成分のみの測定を行うことができる。また、通常の垂直磁化成分測定系で使用される単純な偏光分離検出系、受光素子、光電変換回路、演算増幅回路がそのまま使える。また、垂直磁化成分を測定する磁気光学測定顕微鏡装置で光源を変更するだけで本実施形態を適用できるため、垂直磁化成分の測定と面内磁化成分の測定を切り換えることが容易に可能となり便利である。
【０１５０】
（構成２３）上記構成２２の「１８０度回転非対称鏡映対称偏光光源」１２０１の光出力の光束断面内での偏光分布は、光軸に直交して光軸を通る直線を境界線として偏光状態が異なり、それぞれの領域では直線偏光であり、それらの偏光方位角が上記境界線となす角度はゼロではなく、絶対値が等しく逆符号であるように構成する。
【０１５１】
このような偏光分布は、上記構成２２の条件を満たしている。また、偏光分布が単純であるため、このような光源の実現が容易である。さらに、反射光の偏光成分を分離して検出する際に、各領域内において光量むらを小さく抑えることができ、かつカー効果の検出感度も比較的一様にできるため、検出特性を良好にすることができる。
【０１５２】
（構成２４）上記構成２３の「１８０度回転非対称鏡映対称偏光光源」の異なる偏光方位間の角度差の絶対値を１０度以下とする。このように偏光方位の角度差を小さくすると、鏡映境界線又はそれに直交する線に偏光分離検出器の偏光検出方向を揃えることで、光源の偏光方位と検光子の偏光方位を直交させるいわゆるクロスニコル状態から僅かにずれた状態にでき、カー回転による信号量をそれほど減らさずに検出光量を抑えることができる。従って、光電変換後の直流オフセット成分を減らすことができ、検出信号のコントラストを上げることができる。
【０１５３】
（構成２５）上記構成２３の「１８０度回転非対称鏡映対称偏光光源」の異なる偏光方位間の角度差を±９０度とする。偏光分離検出器は２つの直交する偏光成分に分離し、両偏光成分の光量の差を検出する差動偏光検出器を使用することで、カー効果が無い状態での差動偏光検出信号を丁度ゼロとすることができ、光量の変化が検出信号に現れるのを抑えることができる。従って、光量ノイズが大きいような場合に、カー回転による信号成分の検出を高いＳ／Ｎで測定することができる。
【０１５４】
（構成２６）上記構成２２〜２５の「１８０度回転非対称鏡映対称偏光光源」１２０１は、自然偏光光源又は部分偏光光源又は直線偏光光源１２０２と、一方の偏光成分を取り出す偏光子から構成される、光源の出力光束断面内で非一様な作用をする分割偏光子１２０３とから構成する。
【０１５５】
強度分布と偏光分布が光軸のまわりで１８０度回転対称かつ光軸を含むある面で鏡映対称な光束を出力する光源に、直線の境界線で２つに分割され、その偏光透過軸が境界線に対して±θ度傾いた構成の分割偏光子をその境界線を光源の鏡映対称面に一致させて作用させることで、上記構成２３〜２５の光源を構成することができる。
【０１５６】
また、平面領域を直交する２つの線を境界線として４つの領域に分け、そのうち隣り合う２つの領域をそれらの領域に挟まれる第１の境界線に対して鏡映対称性を持たない配置で偏光子を敷きつめ、次に、他方の第２の境界線を鏡映線として鏡映対称な型で他の２つの領域を偏光子で敷きつめれば、第２の境界線に対して鏡映対称で、第１と第２の境界線の交差する点を中心とした１８０度の回転に対して非対称な分割偏光子を作成することができる。その鏡映対称線を光源の鏡映対称面に一致させ、かつ際１、第２の境界線の交点を光源の１８０度回転対称軸に一致させて作用させることで、複数の領域で異なる偏光方位角をもち、上記構成２２の条件を満たす光源をつくることができる。
【０１５７】
例えば、ポラロイドシートなどの偏光子をその偏光透過方位に対してθ度傾いた線にそって切断し、片側を裏返して切断線同士で接合することで、±θの偏光透過軸をもつ分割偏光子を作成することができる。強度分布と偏光分布が光軸のまわりで１８０度回転対称かつ光軸を含むある面で鏡映対称な光束を出力するランプ光源やレーザ光源の出力の鏡映対称面にこの分割偏光子の分割線（鏡映対称線）に一致させ、かつ光束の光軸を分割線と交差するように取り付けることで、光軸を通る境界線の両側で偏光方位が±θをとる「１８０度回転非対称鏡映対称偏光光源」を作成できる。
【０１５８】
（構成２７）上記構成２３〜２５の「１８０度回転非対称鏡映対称偏光光源」１２０１は、直線偏光光源と、半波長の位相差を発生する素子を構成要素として含む、直線偏光光源の出力光束断面内で非一様な作用をする分割半波長素子とから構成する。
【０１５９】
強度分布と偏光分布が光軸のまわりの１８０度回転対称性をもち、かつ光軸を含むある面で鏡映対称な光束を出力する光源に、直線の境界線で２つに分割され、その主軸方位が境界線に対して±θ／２度傾いた構成の分割半波長素子をその境界線を光源の鏡映対称面に一致させて作用させることで、上記構成２３〜２５の光源を構成することができる。
【０１６０】
また、平面領域を直交する２つの線を境界線として４つの領域に分け、そのうち隣り合う２つの領域をそれらの領域で挟まれる第１の境界線に対して鏡映対称性を持たない配置で半波長素子を敷きつめ、次に、他方の第２の境界線を鏡映線として鏡映対称な型で他の２つの領域を半波長素子で敷きつめれば、第２の境界線に対して鏡映対称で、第１と第２の境界線の交差する点を中心とした１８０度の回転に対して非対称な分割半波長素子を作成することができる。その鏡映対称線を光源の鏡映対称面に一致させ、かつ際１、第２の境界線の交点を光源の１８０度回転対称軸を一致させて作用させることで、複数の領域で異なる偏光方位角をもち、上記構成２２の条件を満たす光源をつくることができる。
【０１６１】
例えば、水晶などから作成される１つの半波長素子を主軸方位にθ／２の角度をなす直線にそって切断し、片側を裏返して切断面同士を接合することで、±θ／２の主軸方位領域を上下の領域でもつ分割半波長素子を作成する。直線偏光を出力する強度分布が光軸のまわりで１８０度回転対称で、光軸と偏光方位を含む面に対して強度分布が鏡映対称な光源の偏光方位をこの分割半波長素子の分割線に一致させ、かつ、光束の光軸を分割線に交差させて透過させることで、光軸を通る境界線の両側で偏光方位が±θをとる「１８０度回転非対称鏡映対称偏光光源」を作成できる。
【０１６２】
（構成２８）上記構成２２〜２５の「１８０度回転非対称鏡映対称偏光光源」１２０１は、直線偏光光源１２０２と、偏光を回転する素子を構成要素として含み直線偏光光源の出力光束断面内で非一様な作用をする分割偏光回転素子１２０３とから構成する。
【０１６３】
強度分布と偏光分布が光軸のまわりで１８０度回転対称性をもち、かつ光軸を含む面で鏡映対称な光束を出力する光源に、直線の境界線で２つに分割され、各領域で偏光を±θ度回転する分割偏光回転素子をその境界線を光源の鏡映対称面に一致させて作用させることで、上記構成２３〜２５の光源を構成することができる。
【０１６４】
また、平面領域を直交する２つの線を境界線として４つの領域に分け、そのうち隣り合う２つの領域をそれらの領域に挟まれる第１の境界線に対して鏡映対称性を持たない配置で偏光回転素子を敷きつめ、次に、他方の第２の境界線を鏡映線として鏡映対称な型で他の２つの領域を偏光回転素子で敷きつめれば、第２の境界線に対して鏡映対称で、第１と第２の境界線の交差する点を中心とした１８０度の回転に対して非対称な分割偏光回転素子を作成することができる。その鏡映対称線を光源の鏡映対称面に一致させ、かつ際１、第２の境界線の交点を光源の１８０度回転対称軸を一致させて作用させることで、複数の領域で異なる偏光方位角をもち、上記構成２２の条件を満たす光源をつくることができる。
【０１６５】
例えば、±θの偏光回転角をもつ旋光素子を直線を境界にして接合することで、±θの旋光回転角を２つの領域でもつ分割偏光回転素子を作成する。直線偏光を出力する強度分布が光軸のまわりで１８０度回転対称で、光軸と偏光方位を含む面に対して強度分布が鏡映対称な光源の偏光方位をこの分割偏光回転素子の接合線に一致させ、かつ、光束の光軸を接合線に交差させて透過させることで、光軸を通る境界線の両側で偏光方位が±θをとる「１８０度回転非対称鏡映対称偏光光源」を作成できる。
【０１６６】
しかしながら、水晶から作られる自然旋光素子では片側の極性の回転のものしか入手しにくくなっている。そこで、±θの偏光回転角を作る代わりに、それらの角度に１８０度の整数倍を加えて同符号の偏光回転角をもつ２つの偏光回転素子から作成してよい。
【０１６７】
また、旋光性素子の代わりに入射する光に対して同じ偏光回転作用をするファラデー回転素子を使用しても、光を一方向から通すかぎり同等な働きをするので問題ない。
【０１６８】
（第１０の実施形態）
図１４（Ａ）〜（Ｄ）は、本発明の第１０の実施形態による分割位相変調器の例を示す。ここでは、分割位相変調器として液晶位相変調器で構成した分割液晶位相変調器の例を示す。
【０１６９】
図１４（Ａ）において、外部制御電圧源１４０１が分割液晶位相変調器１４０２の発生位相差を制御する。分割液晶位相変調器１４０２の主軸１４０３は０度にしてあり、光束１４０４の半分にのみ分割液晶位相変調器１４０２が作用する。
【０１７０】
図１４（Ｂ）において、外部制御電圧源１４１１が分割液晶位相変調器１４１２の２分割領域の発生位相差を制御する。分割液晶位相変調器１４０２の２分割領域のそれぞれの主軸方位１４１３及び１４１４は＋２２．５度及び−２２．５度としている。主軸方位１４１３及び１４１４は、±４５度等でもよい。光束１４１５の上下半分に異なる主軸方位１４１３及び１４１４の分割液晶位相変調器１４１２が作用する。必要なら光束全体に作用する例えば＋２２．５度の主軸方位角の液晶位相変調器をさらに光路に設けて、垂直磁化成分測定に切り換えたときに必要な４５度の偏光回転に利用する。
【０１７１】
図１４（Ｃ）において、外部制御電圧源１４２１が分割液晶旋光変調器１４２２を制御する。その制御により、分割液晶旋光変調器１４２２の旋光角１４２３を制御することができ、例えば０度や９０度等になる。光束１４２４の半分にのみ分割液晶旋光変調器１４２２が作用する。
【０１７２】
図１４（Ｄ）において、外部制御電圧源１４３１が分割液晶旋光変調器１４３２の２分割領域を制御する。その制御により、分割液晶旋光変調器１４３２の２分割領域のそれぞれの旋光角１４３３及び１４３４を制御することができ、例えば０度や＋４５度及び−４５度等になる。光束１４３５の上下半分に異なる旋光角１４３３及び１４３４の分割液晶旋光変調器１４３２が作用する。
【０１７３】
液晶位相変調器は外部制御電圧源からの印加電圧によって透過光の直交する偏光成分間の発生位相差を制御できるもので、必要なら補償位相板を重ねて位相差０から半波長の間で連続的に変化あるいはスイッチングできるものである。液晶のイオン化による劣化を防ぐために、印加電圧を矩形波形などの交流波形とする場合は、交流電圧振幅で位相差を制御する。
【０１７４】
この分割液晶位相変調器を分割半波長素子の代わりに使用することで、たとえば、液晶位相変調器の発生位相差を半波長に設定制御した場合には面内磁化成分の測定が行え、液晶位相変調器の発生位相差をゼロに制御した場合には垂直磁化成分の測定が行える。液晶に電圧を印加する外部制御電圧源を制御することで、電気的に垂直磁化成分と面内磁化成分の切り替え測定が可能になる。
【０１７５】
（第１１の実施形態）
図１５は、本発明の第１１の実施形態による空間位相変調器の例を示す。ここでは、空間位相変調器として、液晶空間位相変調器１５０１を使用した例を示す。この例の液晶空間位相変調器１５０１は、６×６＝３６の液晶要素からなるもので、液晶空間位相変調器コントローラ１５０４から各液晶要素の発生位相差を独立に制御できるものである。図では、３６要素の上半分１５０２にハイ電圧を印加し、下半分１５０３にロー電圧を印加して、上半分１５０２の位相差をゼロ、下半分１５０３の発生位相差を半波長としている例である。上記構成３で説明した原理により面内磁化のＹ軸成分を面内磁化Ｘ軸成分と垂直磁化成分から分離して測定することができる。また、右半分の液晶要素にハイ電圧を印加し、左半分にロー電圧を印加して、右半分の位相差をゼロ、左半分の発生位相差を半波長とすれば、面内磁化のＸ軸成分を面内磁化Ｙ軸成分と垂直磁化成分から分離して測定することができる。また、全液晶要素にハイ電圧を印加すれば、垂直磁化成分を測定することができる。
【０１７６】
さらに、液晶要素が入射光ビーム１５０５のサイズより十分小さければ、光ビーム１５０５の中心を通る任意の角度の境界線で液晶要素を分離して一方を位相差ゼロ、他方を位相差半波長に設定し、さらに必要なら光源の偏光方位をこの境界線に沿わせるか直交させるよう偏光回転素子や１／２波長素子で制御し、偏光分離検出器の前にも偏光回転素子や１／２波長素子をおいて偏光分離方向をこの境界線に沿わせるか直交させるよう制御することで、面内の任意の方向の磁化成分を測定できる。
【０１７７】
また、液晶空間位相変調器１５０１の代わりに、空間偏光回転変調器として液晶空間旋光変調器も同様にして使用できる。
【０１７８】
［分割変調器］
（構成２９）上記「分割半波長素子又は分割１／４半波長素子」の代わりに、分割された領域における各発生位相差を外部制御可能な分割位相変調器を用い、各領域における発生位相差を外部から制御する。
【０１７９】
外部制御可能により発生位相差をゼロに切り換えることで、面内磁化成分に対する感度をもつ測定から、通常の垂直磁化成分のみに感度をもつ測定に切り換えることができる。
【０１８０】
例えば、構成３における分割半波長素子の代わりに分割位相変調器を用いれば、外部制御可能により発生位相差を半波長からゼロに切り換えることで、面内磁化成分の測定から、通常の垂直磁化成分の測定に切り換えることができる。分割位相変調器としては、分割液晶位相変調器、又は分割電気光学位相変調器、又は分割光弾性位相変調器などが使用できる。
【０１８１】
（構成３０）上記「分割半波長素子又は分割１／４半波長素子」の代わりに、位相差の空間分布を外部制御可能な空間位相変調器を使用し、位相差の発生分布を外部から制御する。
【０１８２】
外部制御により発生位相差をゼロに切り換えることで、面内磁化成分に対する感度をもつ測定から、通常の垂直磁化成分のみに感度をもつ測定に切り換えることができる。
【０１８３】
さらに、位相差の発生分布を切り換えることで、面内磁化成分の２つの直交する成分の測定感度を切り換えることができる。また、位相差の発生分布を微調整することで、垂直磁化成分に対する感度が最小になるように調整することもできる。空間位相変調器としては、例えば液晶空間位相変調器が使用できる。
【０１８４】
（構成３１）上記「分割偏光回転素子」の代わりに、分割された領域における各偏光回転角を外部制御可能な分割偏光回転変調器を用い、各領域における偏光回転角を外部から制御する。
【０１８５】
外部制御により偏光回転角をゼロに切り換えることで、面内磁化成分に対する感度をもつ測定から、通常の垂直磁化成分のみに感度をもつ測定に切り換えることができる。分割偏光回転変調器としては、例えば分割ファラデー回転変調器や分割液晶旋光性変調器が使用できる。
【０１８６】
（構成３２）上記「分割偏光回転素子」の代わりに、偏光回転角の空間分布を外部制御可能な空間偏光回転変調器を使用し、偏光回転角の発生分布を外部から制御する。
【０１８７】
外部制御により発生回転角をゼロに切り換えることで、面内磁化成分に対する感度をもつ測定から、通常の垂直磁化成分のみに感度をもつ測定に切り換えることができる。
【０１８８】
さらに、発生回転角の発生分布を切り換えることで、面内磁化成分の２つの直交する成分の測定感度を切り換えることができる。また、発生回転角の発生分布を微調整することで、垂直磁化成分に対する感度が最小になるように調整することもできる。空間偏光回転変調器としては、例えば液晶空間旋光変調器が使用できる。
【０１８９】
［横カー効果］
（構成３３）上記構成２５、１４、２１で、光路中の被測定磁性体と偏光分離検出器の間に、上記「１８０度回転非対称鏡映対称偏光光源」の鏡映対称線又は上記「１８０度回転非対称鏡映対称偏光素子」の鏡映対称線に対して主軸方位のなす角が＋２２．５度又は−２２．５度をなす半波長素子を挿入する機構を備える。
【０１９０】
これにより、光束断面内の鏡映対称線で分割された２つの領域の偏光回転を検出する光学系から、カー効果のないときの差動偏光分離検出器に入射する光束の断面内における偏光方位を分割された２つの領域で互いに直交する偏光分離方位に一致させることで、２つの領域の光量の差を検出する光学系に切り換えることが可能になる。後者の場合、横カー効果による反射率変化の２領域間での差が検出でき、分割線に沿った面内磁化成分のみを測定できる。
【０１９１】
（構成３４）上記構成２５、１４、２１で、光路中の被測定磁性体と偏光分離検出器の間に、回転角が＋４５度又は−４５度の偏光回転素子を挿入する機構を備える。
【０１９２】
これにより、前記構成３３と同様に、光束断面内の鏡映対称線で分割された２つの領域の偏光回転を検出する光学系から、光量の差を検出する光学系に切り換えることが可能になる。この場合、横カー効果による反射率変化の２領域間での差が検出でき、分割線に沿った方向の面内磁化成分のみを測定できる。
【０１９３】
［回転、移動、ＸＹ成分切り換え］
（構成３５）上記の「１８０度回転非対称偏光光源、分割偏光子、分割半波長素子、分割偏光回転素子、分割１／４半波長素子、分割位相変調器、分割偏光回転変調器、空間位相変調器、空間偏光回転変調器」の光軸まわりの方位角を回転調整する「分割光学素子回転調整ステージ」を供える。ステージは手動又は自動ステージとする。
【０１９４】
各素子の方位角の回転調整により、偏光方位や位相差や偏光回転の発生分布を切り換え、面内磁化成分の２つの直交する成分の測定感度を切り換えることができる。さらに、必要に応じて主軸方位角を手動又は自動で回転調整可能な半波長板を光路に追加することで、任意の方向の面内磁化成分を切り換えて測定することも可能である。
【０１９５】
（構成３６）上記の「１８０度回転非対称偏光光源、分割偏光子、分割半波長素子、分割偏光回転素子、分割１／４半波長素子、分割位相変調器、分割偏光回転変調器、空間位相変調器、空間偏光回転変調器」の位置を移動調整する「分割光学素子位置調整ステージ」を供え、光束がこれらの素子を透過する位置を調整可能とする。ステージは手動又は自動ステージとする。各素子の位置を調整することで、垂直磁化成分に対する感度が最小になるように調整することができる。
【０１９６】
（構成３７）上記の「分割偏光子、分割半波長素子、分割偏光回転素子、分割１／４半波長素子、分割位相変調器、分割偏光回転変調器、空間位相変調器、空間偏光回転変調器」は、隣同士の光学特性が異なる分割境界線として、互いに直交する第１、第２の２つの境界線を少なくとも含み、第１と第２の境界線はある１つの直線と一方が重なり他方と交差するか、又は両方とも交差するように配置され、その直線にそった方向にこの光学素子を移動可能なステージをそなえ、このステージの移動のみで光束がこの光学素子を入射する位置を第１の境界線上と第２の境界線上、および境界線のない領域とのあいだで切り換えることを可能にする。
【０１９７】
光束の通過する位置を第１の境界線上と第２の境界線上と境界線のない領域との間で、単軸の手動又は自動ステージのみで切り換えることが可能になる。これにより、例えば、面内磁化の直交する２成分と垂直磁化成分の３つの成分の測定を切り換えることが単軸ステージで可能になる。また、この単軸ステージの移動方向を第１、第２の境界線の両方に平行でないようにすることで、第１、第２の境界線を光束が通過又は作用する位置をこの単軸ステージのみで微調整することも可能になる。
【０１９８】
（第１２の実施形態）
図１６は、本発明の第１２の実施形態による測定装置の例を示す。まず、リレーレンズ１６０９がない場合を説明する。照明光学系１６０１からの光を偏光プリズム（又は偏光板）１６０２に通して直線偏光１６０３としてから、ビームスプリッタ１６０５と対物レンズ１６０６を通して試料である被測定磁性体１６０７を照明する。上記の光学系は、光軸１６０４を有する。
【０１９９】
試料１６０７で反射した光を対物レンズ１６０６で集光し、ビームスプリッタ１６０５で反射させた後、分割半波長板（又は分割偏光子又は分割偏光回転素子）１６１１を通し、偏光プリズム（偏光板）１６１２を通して結像レンズ１６１３でカメラ１６１４に集光する。これにより、面内磁化成分を垂直磁化成分から分離して画像観察ができる。分割半波長板（又は分割偏光子又は分割偏光回転素子）１６１１により、面内磁化Ｘ成分又は面内磁化Ｙ成分のいずれかのみの画像を観察できる。このように、レーザの走査や試料走査を行わずに画像観察が行えることが、従来の分割フォトディテクタを使用して異なる磁化成分を検出する原理に比べての本実施形態の著しい利点の一つである。偏光プリズム１６０２，１６１２は、例えばグラン・トムソンプリズムである。
【０２００】
なお、観察位置によりその位置からの反射光束位置が分割半波長板又は分割旋光性素子内で若干ずれが生じるが、これで問題が生じる場合には、リレーレンズ１６０９をビームスプリッタ１６０５及び分割半波長板１６１１の間に設ける。リレーレンズ１６０９により対物レンズ瞳面を分割半波長板面（又は分割偏光子面又は分割偏光回転素子面）に写像することで、各観察位置からの反射光束の位置ずれの影響を無くすことができる。カメラ１６１４の代わりに、接眼レンズを備えて目視することも可能である。もちろん、カメラ１６１４の画像出力は、必要なら信号処理系や計算機に取り込んで適当な信号処理や画像処理を行ってもよい。
【０２０１】
（第１３の実施形態）
図１７は、本発明の第１３の実施形態による測定装置の例を示す。図１のステージ１０８の代わりに、レーザ走査系１７０１と共焦点測定のためのスペーシャルフィルタ１７０２を備えた。レーザ走査系１７０１は、走査による反射レーザビームのシフトを防ぐためのリレーレンズも組み込まれている。スペーシャルフィルタ１７０２は、２個のレンズ１７０３及びその間のピンホール１７０４を有し、フォーカスのずれた位置からの反射光や散乱光をカットし、また、面内空間分解能を向上させる効果もある。
【０２０２】
［カメラ、レーザ走査、短パルス光］
（構成３８）上記の光検出器の代わりに、結像レンズ１６１３と画像検出素子１６１４、例えば撮像管、ＣＣＤカメラ、冷却ＣＣＤカメラを使用し、各画素に入射する光を検出して磁化分布画像データの取得を可能とする。
【０２０３】
この方法をとる場合、偏光分離素子を透過した光を結像レンズで画像検出素子の受光面に結像することで面内磁化成分の画像観察が可能になる。光学系の光軸（すなわち対物レンズの中心軸）から外れた観察試料位置では、厳密には面内磁化の一成分のみを完全に分離するために必要な上記の鏡映対称性は崩れるが、光軸の近傍では近似的に成り立つ。
【０２０４】
（構成３９）上記の光検出器の代わりに、結像レンズと接眼レンズを備え、磁化分布の目視を可能とする。
この方法をとる場合、偏光分離素子を透過した光を結像レンズで結像した像を接眼レンズを通して目視することが可能になる。
【０２０５】
（構成４０）上記の光源として磁性体の磁化状態の変化動作、又は磁性体の移動動作に同期をとって発光するパルス幅１００ｐｓ以下の短パルスレーザ光源を使う。
【０２０６】
磁気記録装置の磁気ヘッドのライト磁極など、高速に動作する磁化状態の時間変化のようすを測定するには、通常の連続光源を用いたまま光検出の測定帯域を上げる方法では、光検出器やそれに後続するＩ／Ｖアンプや演算増幅器の帯域や精度が不足したり、光検出器や広帯域Ｉ／Ｖアンプのノイズが大きくなる等のリ理由により測定が困難になる。そこで、磁化動作を周期動作させ、その周期の任意のタイミングでパルス光を照射して検出することで、そのタイミングの磁化状態を光検出器の帯域に制限されずに光パルス幅の時間分解能で測定することができる。さらに、短パルス光の照射タイミングを磁化変化の周期内でずらしながら測定を繰り返すことで、磁化の高速時間変化の様子を測定できる。この測定方法はサンプリング測定法とよばれる。
【０２０７】
短パルス光源としては、パルス幅１００ｆｓ程度の超短パルス光を発生するモードロックレーザを用いるのが一般的であるが、半導体レーザをパルス駆動して得られるパルス幅数十ｐｓの短パルス光を使うことも可能である。
【０２０８】
しかしながら、従来から知られている分割フォトディテクタを使用して面内磁化成分を測定する方法では、このように短い光パルスの入射に対して、分割フォトディテクタ、その各要素が出力する多数の電気パルス信号に働く多数のＩ／Ｖ変換アンプ、およびその各出力に働く演算回路の出力が、各分割部分への光入力に対して全て線型に正確に動作するのは困難になる。これらの正確な動作は高速な応答動作ほど困難になるため、わざと遅い応答をする素子や回路やローパスフィルタ等を使用して、検出回路帯域をサンプリング周波数よりも十分低くすることで測定精度を高めることもできるが、サンプリング周波数を大きく変えて測定を行う場合には受光する平均光量が大きく変わるため、検出および信号処理系のダイナミックレンジが不足して測定が困難になる。また、分割フォトディテクタの各要素に対応する複数のＩ／Ｖ変換アンプを必要とするため、ノイズが増大する。
【０２０９】
この方法では、光の偏光状態を偏光性素子により制御する方法をとるため、このような極めてパルス幅の短いパルス光源を使用しても良好に機能し、ノイズの増大もなく、磁性体の垂直磁化成分、面内磁化の直交する２成分の超高速時間変化を正確に高い感度で測定することが可能になる。また、光検出器に分割構造が不要なため、製作又は入手が容易な非分割のアバランシェフォトダイオードや、光電子増倍管を使用することができる。
【０２１０】
（構成４１）上記のレーザ光源からの光ビームが集光手段で集光される集光スポット位置を走査するためのレーザ走査系をそなえ、かつ、上記「分割光学素子回転調整ステージ」「分割光学素子位置調整ステージ」「分割光学素子位置移動調整ステージ」は自動ステージであり、レーザ走査の少なくとも一方向の走査に同期してこれらの自動ステージを移動調整する。
【０２１１】
例えば、ピエゾ素子による傾斜ミラーを使用してレーザ走査を可能にした場合、磁性体からの反射光が再び傾斜ミラーにあたる位置もずれ、傾斜ミラー以降の反射光光路で光束位置がレーザ走査位置に対応してずれてしまう。従って、反射光束が上記の分割光学素子を通過又は作用する位置がずれてしまい、面内磁化成分の測定時に垂直磁化成分が混入してしまう。そこで、上記自動ステージで分割光学素子の位置をレーザ走査位置に同期して移動して調整を行うことで、この問題を避けることができる。なお、光学系の光軸（対物レンズの中心軸）から外れた観察試料位置では、厳密には磁化の一成分のみを完全に分離するために必要な上記の鏡映対称性は崩れるが、光軸の近傍では近似的に成り立つ。
【０２１２】
（構成４２）上記の「分割偏光子、分割半波長素子、分割偏光回転素子、分割１／４半波長素子、分割位相変調器、分割偏光回転変調器、空間位相変調器、空間偏光回転変調器」に入射する光束位置が集光レンズの瞳位置と光学的に一致させるためのリレーレンズ系をそなえる。
【０２１３】
ランプ等の空間的にインコヒーレントな光源を使用して結像レンズでカメラに結像して磁化分布の画像測定を行う場合には、磁性体の異なる点で反射する光は、ずれた光路を通る。従って、上記の分割光学素子のずれた位置を通ることになり、２つ以上の方向の磁化成分が混合してしまう。２つ以上のレンズ系から構成されたリレーレンズを使用して集光レンズの瞳位置を上記の分割光学素子の位置に適当な倍率で光学的に一致させることで、このずれを無くして、磁化成分の正確な測定が可能になる。
【０２１４】
また、レーザ光源とレーザ走査系を使用して画像測定を行う場合にも、磁性体の異なる点で反射する光は、ずれた光路を通り、上記の分割光学素子のずれた位置を通ることになり、２つ以上の方向の磁化成分が混合したり、各磁化成分の感度ばらつきや測定誤差を生じる。２つ以上のレンズ系から構成されたリレーレンズを使用して集光レンズの瞳位置を上記のレーザ走査系の走査位置に適当な倍率で光学的に一致させることで、このずれを無くして、正確な測定が可能になる。
【０２１５】
（第１４の実施形態）
図１８は、本発明の第１４の実施形態による測定装置の例を示す。この測定装置は、磁気カー効果の代わりに、ファラデー効果の測定を行う。ファラデー効果は、被測定物（磁性体）１８０５に直線偏光の光を当てて通過させると、被測定物のもつ磁化の影響を受けて、光の偏光面が回転する現象である。上記の実施形態の面内磁化成分および垂直磁化成分の分離測定方法および装置は、光透過性の磁性体（常磁性体、反磁性体を含む）のファラデー効果の観察にも適用できる。
【０２１６】
直線偏光光源１８０１は、直線偏光１８０３を第１の対物レンズ１８０４で集光して、被測定物１８０５に照射する。被測定物１８０５は、磁性体又はファラデー素子プローブである。被測定物１８０５の透過光は、第２の対物レンズ１８０６で集光して、ミラー１８０８により１８０度回転非対称鏡映対称偏光素子１１１に入射される。以降は、図１と同じである。これにより、磁界及び磁化観察を行うことができる。
【０２１７】
なお、後に説明する図２０（Ａ）〜（Ｃ）及び図２１（Ａ）、（Ｂ）のファラデー素子プローブで、光反射面を形成せず、透過型のファラデー素子プローブとして用いることもできる。また、図では透過光をミラー１８０８で光路を９０度折り曲げてから偏光分離検出系に導いているが、折り曲げずに直接検出系に導いてもよい。
【０２１８】
［ファラデー効果］
（構成４３）上記の被測定磁性体での反射光の磁気光学効果による偏光状態や光量の変化を検出する代わりに、被測定磁性体での透過光又は透過往復光のファラデー効果による偏光状態や光量の変化を検出する。
【０２１９】
ファラデー効果は磁気光学効果の一種であり、透過光に対して磁化や磁界に比例して偏光回転や左右円偏光に対する異なる吸収を引き起こす。この効果が従う物理法則はもちろん空間回転対称性や空間反転対称性（パリティ保存則）をもつため、上記のこれに基づく議論は成立する。これらの効果は磁化ベクトル又は磁界ベクトルの光透過方向の成分に比例する。従って、集光レンズで集光した光をファラデー素子に通すと、集光光の異なる入射方向の光成分は磁化ベクトル又は磁界ベクトルの異なる成分に比例する効果を受ける。この透過光に対して、上記測定方法を適用することで、ファラデー素子の磁化又はそれに働く磁界成分の垂直および面内方向成分を測定できる。
【０２２０】
また、光が磁性体中を往復すると、自然旋光性による偏光回転と異なり、偏光回転角は２倍になる。従って、片側に反射面のあるファラデー素子に対して、反射面で反射してファラデー素子を往復させた光の反射光を検出するようにしてもよい。
【０２２１】
（第１５の実施形態）
図１９（Ａ）及び（Ｂ）は、本発明の第１５の実施形態によるソリッドイマージョンレンズの例を示す。光源や受光光学系は第１の実施形態等と同じ構成で、対物レンズの下にソリッドイマージョンレンズ（ＳＩＬ）を使用する。これにより、空間分解能を向上させることができる。
【０２２２】
図１９（Ａ）は、対物レンズ１９０２の下に半球型ＳＩＬ１９０３を設ける。入射光１９０１は、対物レンズ１９０２及び半球型ＳＩＬ１９０３を介して、被測定物１９０４に照射される。
【０２２３】
図１９（Ｂ）は、対物レンズ１９１２の下に超半球型ＳＩＬ１９１３を設ける。入射光１９１１は、対物レンズ１９１２及び超半球型ＳＩＬ１９１３を介して、被測定物１９１４に照射される。
【０２２４】
超半球型ＳＩＬ１９１３は、半球より厚みを球半径の１／ｎ倍（ここで、ｎはＳＩＬの材料の屈折率）だけ増やした形状であり、この型もＳＩＬとして使用できることができる。この場合、光がＳＩＬ球面に入射する際に入射光をさらに集光屈折させるもので、対物レンズのＮＡがあまり大きくなくても、ＳＩＬ内でのＮＡを大きくして空間分解能を向上することができる。特に、対物レンズとＳＩＬ間の距離を大きくとりたい場合は対物レンズのＮＡを大きくとることが困難なため、半球型ＳＩＬよりも高い空間分解能を得ることができる。
【０２２５】
［ＳＩＬ］
（構成４４）上記の集光手段にソリッドイマージョンレンズをそなえる。顕微鏡の空間分解能を通常より向上する方法として、ソリッドイマージョンレンズを使用する方法が知られている（例えば、米国特許第５００４３０７号）。上記の集光手段として例えば顕微鏡対物レンズの先端にソリッドイマージョンレンズをそなえたものを使用する。高い屈折率材料でできたソリッドイマージョンレンズを使用することで、その内部を通る光の波長は短縮する。被測定磁性体をソリッドイマージョンレンズに完全に密着したとすると、この屈折率による波長短縮により、磁性体に照射される集光スポット径を縮小して空間分解能が向上する。しかし、実際にはソリッドイマージョンレンズの底面と磁性体の間にわずかでも隙間があくが、光波長より十分短いような隙間まで近接すれば完全に密着した状態に近づいていくと考えられる。実際、これはフォトントンネリング効果により説明されている。フォトントンネリング効果及びその磁気光学効果の従う物理法則はもちろん空間回転対称性や空間反転対称性（パリティ保存則）をもつため、上記の議論でそれらに基づいた部分は成立し、上記の測定法を使用して垂直磁化成分や面内磁化成分をすることができ、さらに、上記の方法を使用して各成分を分離した測定も可能である。
【０２２６】
（第１６の実施形態）
図２０（Ａ）〜（Ｃ）は、本発明の第１６の実施形態による磁界プローブの例を示す。光源や受光光学系は第１の実施形態等と同じ構成である。
図２０（Ａ）は、光透過性プローブ２００３の先端に磁性膜２００４を付けて光反射型磁界プローブとした例である。入射光２００１は、対物レンズ２００２及びプローブ２００３を通して、磁性膜２００４で反射する。また、光透過性プローブ２００３自体をファラデー効果を持つ材料で作成し、下面に反射膜又は反射磁性膜２００４を付けてもよい。測定したい試料の磁化上や電流により発生する磁界中にこのプローブを置き、上記の測定方法および検出手段を適用することにより、面内磁界成分や垂直磁界成分を分離して検出することが可能になる。また、プローブを微小化してプローブ走査手段又は試料走査手段と組み合わせることで、走査型磁界ベクトル測定装置を構成することができる。
【０２２７】
図２０（Ｂ）は、光透過性プローブ２０１３の先端に微小突起の磁性膜２０１４を付けて光反射型磁界プローブとした例である。入射光２０１１は、対物レンズ２０１２及びプローブ２０１３を通して、微小突起の磁性膜２０１４で反射する。また、光透過性プローブ２０１３自体をファラデー効果を持つ材料で作成し、下面に微小突起の反射膜又は反射磁性膜２０１４を付けてもよい。
【０２２８】
図２０（Ｃ）は、プローブ２０２３を球形状にしたもので、下面に磁性膜２０２４を形成して光反射型磁界プローブとする。入射光２０２１は、対物レンズ２０２２及び球型プローブ２０２３を通して、磁性膜２０２４で反射する。また、プローブ２０２３自身をファラデー効果をもつ材料で作成し、下側に光反射膜又は反射磁性膜２０２４を形成してもよい。上記の測定方法および検出手段を適用して、面内磁界成分や垂直磁界成分を分離して検出することが可能になる。
【０２２９】
微小球の作成は比較的容易なため、数μｍ径〜サブミクロン径の極めて小さな磁界プローブの作成が可能で、高い空間分解能で面内磁界、垂直磁界成分を分離して測定可能な走査型プローブ顕微鏡を実現できる。
【０２３０】
但し、以上で強磁性体の膜や強磁性体のファラデー材料を使用する場合は、それ自身の磁気異方性、形状異方性、磁区構造により、磁界成分を完全に分離して測定できるための対称性の条件が破れてしまう場合があるが、磁界ベクトルについてのある程度の情報は得られると期待できる。
【０２３１】
（第１７の実施形態）
図２１（Ａ）及び（Ｂ）は、本発明の第１７の実施形態によるＳＩＬ磁界プローブの例を示す。光源や受光光学系は第１の実施形態等と同じ構成である。半球ＳＩＬ（又は超半球ＳＩＬ）２１０３の底面の光照射部に磁性膜２１０４を付けている。入射光２１０１は、対物レンズ２１０２及び半球ＳＩＬ２１０３を通して、磁性膜２１０４で反射する。また、半球ＳＩＬ又は超半球ＳＩＬ２１０３自身をファラデー効果をもつ材料で作成し、底面の光照射部に反射膜２１０４を付けてもよい。また、図２１（Ｂ）に示すように、ＳＩＬ２１０３の底面に微小磁性体２１０５を形成し、その周囲を遮光膜２１０６で覆ってもよい。光源１０１からの入射光２１０１は、ビームスプリッタ１０５及び対物レンズ２１０２を介してＳＯＬに入射される。偏光分離検出器２１１１は、図１の偏光分離検出器１１３〜１１７、１１９〜１２１に相当する。
【０２３２】
上記の測定方法および検出手段を適用することにより、測定したい試料の磁化や電流により発生する磁界中にこのプローブを置き、面内磁界成分や垂直磁界成分を分離して検出することが可能になる。ＳＩＬにより集光スポットを通常よりも小さく集光できるため、空間分解能を向上できる。さらに、微小磁性体２１０５をＳＩＬ内での集光スポットより小さくすることで光回折限界を超えた空間分解能を得ることもできる。
【０２３３】
対物レンズとファラデープローブ間の距離を大きくとりたい場合は対物レンズのＮＡを大きくとることが困難なため、半球ＳＩＬより超半球ＳＩＬの方が高い空間分解能を得ることができる。
【０２３４】
以上、図２０（Ａ）〜（Ｃ）及び図２１（Ａ）、（Ｂ）の磁界プローブで、光の入射する上面側は反射防止膜を形成してもよいが、逆に反射膜を付けて、入射した光がプローブ内で往復反射を繰り返させたり、又は特定波長の光に対する光共振器現象を利用して、カー回転又はファラデー回転などの磁気光学効果を増大して磁界測定感度を向上することも可能である。また、磁性膜に多層膜を使い、共振現象を利用して感度を上げることもできる。
【０２３５】
［磁界測定］
（構成４５）上記の磁化測定装置において、被測定磁性体の代わりに、磁性体をそなえたプローブを集光部にもち、その磁性体の磁化ベクトルの各成分を上記測定方法および測定装置により測定することで、磁性体のおかれた位置の空間磁界ベクトル成分の測定を可能にする。
【０２３６】
例えば、薄いガラス板に磁性膜を蒸着やスパッタで形成し、それを微小な形に加工することで磁性体をそなえたプローブを作成できる。このプローブを磁界中において、その磁性体の垂直および面内磁化成分を上記測定方法で測定することで、磁性体のおかれた場所の磁界の垂直および面内方向成分を測定できる。磁性体を針状にして空間分解能を向上することができる。さらに、磁性体突起を原子間力顕微鏡（ＡＦＭ）の針として用いて、ＡＦＭと同様のプローブ位置制御手段および走査手段を備えて凹凸像を測定することもできる。また、磁気力顕微鏡（ＭＦＭ）としても使用できる。
【０２３７】
（構成４６）上記で、磁性体をそなえたプローブの磁性体は垂直磁化膜である。面内磁化膜を使用すると、面内磁界に対するヒステリシスを生じやすく、面内磁界に対する応答が非線形になる。垂直磁化膜を使用することで、面内磁界成分に対するヒステリシスが低減し、感度の線型性が良好になる。また、強い垂直磁気異方性を利用すれば、面内磁界成分に対する高周波応答特性も良好にできる。
【０２３８】
（構成４７）上記で、集光手段に底面に磁性体をもつソリッドイマージョンレンズをそなえる。底面に磁性体をそなえたソリッドイマージョンレンズをプローブとして使い、上記実施形態の測定法を適用することで、空間磁界ベクトル成分を測定するこができる。ソリッドイマージョンレンズ内で通常より小さい集光スポットが得られるため、空間分解能を向上することができる。
【０２３９】
（構成４８）上記で、集光手段に磁気光学効果をもつ光透過性で磁気光学効果をもつ物質を構成要素とするソリッドイマージョンレンズをそなえる。
これにより、ソリッドイマージョンレンズのおかれた場所の空間磁界ベクトル成分を測定できる。その空間分解能は、基本的にはソリッドイマージョンレンズの大きさと同程度になる。しかしながら、磁気ヘッドの発生する空間磁界分布や磁性膜の発生する空間磁界は、表面の極近傍に集中して表面分布をとっている。従って、ソリッドイマージョンレンズ内の集光スポットと同程度の解像度をもつ分布が測定でき、空間分解能を通常より向上できる。
【０２４０】
（第１８の実施形態）
図２２は、本発明の第１８の実施形態による測定装置の例を示す。これは、光ファイバープローブ２２０４を用いた反射型近接場顕微鏡に適用した例である。第１の集光手段である光ファイバープローブ２２０４の先端は曲げられていて、被測定磁性体２２０６の表面にほぼ垂直になって近接している。プローブ制御手段２２０３により、光ファイバープローブ２２０４の先端と被測定磁性体２２０６との間隔が制御される。例えば、加振素子でファイバープローブを上下又は横方向に振動させ、振動センサでプローブ先端と試料との間に働く力による振動の変化、例えば振動振幅や振動位相を検出し、プローブ制御手段２２０３のステージ又は試料ステージ２２０５にフィードバック制御する。
【０２４１】
また、被測定磁性体２２０６で反射された光を集光する第２の集光手段である対物レンズ２２０７は、被測定磁性体２２０６の表面に垂直な軸上に光軸２２０９をそろえて配置している。光源２２０１からの光の偏光状態を偏光コントローラ２２０２で制御し、ファイバープローブ２２０４の先端から出力される光の偏光が１８０度回転非対称鏡映対称偏光素子１１１の鏡映対称面にそった又は直交する角度に偏光方位をもつ直線偏光にほぼなるように調整する。被測定磁性体２２０６で反射された光を対物レンズ２２０７で集光し、その光２２０８を分割半波長素子、分割偏光回転素子、分割１／４半波長素子等の１８０度回転非対称鏡映対称偏光素子１１１に通した後、偏光ビームスプリッタ１１３等で構成される偏光分離検出光学系で偏光検出を行い、差動偏光検出信号１１８と加算信号１２３が制御部１２４に取り込まれる。このようにして、近接場光の照射、反射光の集光光学系、偏光分離検出系をファイバープローブ２２０４からの出力直線偏光の偏光方位と反射光の光軸を含む面に対してほぼ鏡映対称な型にすることができる。以上の構成により、近接場顕微鏡において面内磁化成分を垂直磁化成分と分離して検出したり、さらに、面内磁化成分の測定する方向を切り替えたり、垂直磁化成分の測定に切り替えることが可能になる。
【０２４２】
なお、光ファイバープローブの先端に光透過性を有する磁性体をそなえることで、プローブ先端における磁界ベクトルの異なる成分に関する情報を取得することも可能になる。パーマロイ等の金属磁性体でも厚さを数十ｎｍ以下にすれば、光透過性を生じるので光ファイバープローブの先端に付けて使用できる。また、単なる磁気力顕微鏡（ＭＦＭ）としても使用できる。
【０２４３】
（第１９の実施形態）
図２３は、本発明の第１９の実施形態による測定装置の例を示す。プローブ２３０２は、金属やシリコン等をエッチングなどの方法で先端を尖らせ、必要なら表面を金属等でコーティングしたものを使用し、被測定磁性体１０７の表面にほぼ垂直に先端を向けるようにする。プローブ制御手段２３０１は、制御部１２４の制御により、このプローブ２３０２の位置や走査制御を上記の光ファイバープローブ２２０４や原子間力顕微鏡などと同様の方法で行う。他の部分は、図１の測定装置と同様である。
【０２４４】
光源１０１からの光１０３は直線偏光で、対物レンズ１０６で集光してプローブ２３０２の先端に照射する。照射する直線偏光の偏光方位は、１８０度回転非対称鏡映対称偏光素子の鏡映対称軸にそった方向又は直交する方向に揃える。プローブ２３０２と被測定磁性体１０７で散乱された光は対物レンズ１０６で集光されて、ビームスプリッタ１０５で分岐されて、遮光板２３０３によって非散乱光をカットして散乱光を透過させ、上記の分割半波長素子、分割偏光回転素子、分割１／４半波長素子等の１８０度回転非対称鏡映対称偏光素子１１１を通した後、偏光ビームスプリッタ１１３等で構成される偏光分離検出光学系で偏光検出を行い、差動偏光検出信号１１８と加算信号１２３が制御部１２４に取り込まれる。このようにして、プローブ２３０２、反射光の集光光学系、偏光分離検出系を光源１０１からの直線偏光のもつ鏡映対称面に対してほぼ鏡映対称な型にすることができる。以上の構成により、散乱型の近接場顕微鏡において面内磁化成分を垂直磁化成分と分離して検出したり、さらに、面内磁化成分の測定する方向を切り替えたり、垂直磁化成分の測定に切り替えることが可能になる。
【０２４５】
（第２０の実施形態）
図２４（Ａ）〜（Ｅ）は、本発明の第２０の実施形態による遮光板２４０３，２４１５の例を示す。この遮光板は、例えば図１の１８０度回転非対称偏光素子１１１の直前の位置に設置される。
図２４（Ａ）は、分割半波長素子、分割偏光回転素子、分割１／４半波長素子等の分割光学素子２４０１の中央部分を円盤形状の遮光板２４０３で遮光している。面内磁化成分の信号が少ない入射光２４０２の光軸の中央付近の領域を遮光することで、測定感度や磁化のコントラストを高められる場合がある。また、超解像効果も生じる。長方形状の遮光板でもよい。また、遮光板は、光の一部の領域の透過率を下げる半透板でもよい。
【０２４６】
図２４（Ｂ）は、分割半波長素子、分割偏光回転素子、分割１／４半波長素子等を入射光２４１７の光軸で交差する±４５度の線を境界として異なる光学素子からなるように作成した分割光学素子で、図のような形の遮光板２４１５で上下の領域を遮光している。円形の分割光学素子は、それぞれ扇形の第１の領域２４１１、第２の領域２４１２、第３の領域２４１３及び第４の領域２４１４を有する。遮光板２４１５は、分割光学素子の第１の領域２４１１及び第２の領域２４１２を遮光する。そして、図２４（Ｃ）に示すように、この遮光板２４１５を９０度回転することで、左右の領域を遮光できる。すなわち、分割光学素子の第３の領域２４１３及び第４の領域２４１４を遮光できる。
【０２４７】
例えば、図２４（Ｄ）に示す分割半波長素子は、第１の領域２４１１の主軸２４４１が２２．５度、第２の領域２４１２の主軸２４４２が−２２．５度、第３の領域２４１３の主軸２４４３が６７．５度、第４の領域２４１４の主軸２４４４が１１２．５度である。この分割半波長素子を遮光すれば、上下の第１及び第２の領域２４１１，２４１２でＹ軸方向の磁化成分測定を行え、左右の第３及び第４の領域２４１３，２４１４をＸ軸方向の磁化成分測定を行えるため、この分割半波長素子２４４０に図２４（Ｂ）及び（Ｃ）の遮光を切り換えて行うことで、ＸとＹの磁化成分の切り換え測定が可能になる。また、図２４（Ｅ）に示す分割半波長素子２４５１のように、＋４５度（−４５度でもよい）の線２４５６のみを境界として一方の半波長板領域２４５２の主軸２４５４を＋２２．５度、他方の半波長板領域２４５３の主軸２４５５を−２２．５度としてもよい。また、この主軸方位±２２．５度の符号を逆にしてもよい。
【０２４８】
［近接場］
（構成４９）上記で、光源からの光を磁性体に集光照射するための第１の集光手段として、微小領域から光を発生する近接場プローブを使い、磁性体からの反射光、又は透過光を第２の集光手段により集光し、この集光光束に対して上記の「分割偏光子、分割半波長素子、分割偏光回転素子、分割１／４半波長素子、分割位相変調器、分割偏光回転変調器、空間位相変調器、空間偏光回転変調器」を作用させることで、磁化ベクトル成分の測定を可能にする。
【０２４９】
例えば、光ファイバーの先を尖らせて先端部を除いて遮光膜をつけて先端開口部に近接場光を生じるようにしたプローブを走査して試料を透過又は散乱反射した光を検出する、近接場プローブ測定法が知られており、磁性膜の磁化分布を磁気光学効果により測定した例もある（Ｅ．Ｂｅｔｚｉｇ他，”Ｎｅａｒ−ｆｉｅｌｄ　ｍａｇｎｅｔｏ−ｏｐｔｉｃｓ　ａｎｄ　ｈｉｇｈ　ｄｅｎｓｉｔｙ　ｄａｔａ　ｓｔｏｒａｇｅ”，Ａｐｐｌ．Ｐｈｙｓ．Ｌｅｔｔ．６１（２），１３，ｊｕｌｙ　１９９２）。
【０２５０】
この近接場光やそれとの磁気光学相互作用の従う物理法則はもちろん空間回転対称性や空間反転対称性（パリティ保存則）をもつため、上記の議論でそれらに基づいた部分は成立し、反射光や透過光の偏光検出系の部分に上記の測定法を適用することで、近接場測定法においても面内磁化成分の方向を積極的に選択して検出することが可能になる。近似的に軸対称とみなせる構造の近接場プローブを使用することで、垂直磁化成分や面内の直交する２成分を分離して測定することも可能になる。
【０２５１】
また、ソリッドイマージョンレンズの底面に微小開口を付けて開口で生じる近接場光により空間分解能を向上する方法が提案されているが、これにおいても面内磁化成分の方向を積極的に選択して検出することが可能になる。さらに、その微小開口を近似的に軸対称な構造にすれば、上記実施形態の方法により垂直磁化成分や面内磁化成分を分離して測定することができる。
【０２５２】
また、ソリッドイマージョンレンズの底面に光照射で透過率が増す可飽和吸収層をつけて光照射により微小開口を形成する方法も提案されているが、これにおいても上記実施形態の方法により垂直磁化成分や面内磁化成分を分離して測定することができる。
【０２５３】
（構成５０）上記近接場プローブは、先端部が磁気光学効果をもつ磁性体をもつことで、空間磁界ベクトル成分の測定を可能にする。
磁性体を上記近接場プローブの先端部につけてその磁化成分を検出することで、磁界ベクトルの測定が可能になる。
【０２５４】
（構成５１）集光手段により集光された光スポット位置にその先端が配置される光散乱プローブをそなえ、上記の測定法を適用することで、磁化ベクトル成分の測定を可能にする。
先端を尖らせた針や、微小球をプローブとし、それに光を集光照射し、プローブを被測定試料に接近させると、試料表面状態に依存して散乱光が変化する。プローブを試料表面で走査しながらこの散乱光を検出して試料表面の測定を行う、散乱型の近接場測定方法が知られている。
この近接場光やそれとの磁気光学相互作用の従う物理法則はもちろん空間回転対称性や空間反転対称性（パリティ保存則）をもつため、上記の議論でそれらに基づいた部分は成立し、反射光や透過光の偏光検出系の部分に上記の測定法を適用することで、近接場測定法においても面内磁化成分の方向を積極的に選択して検出することが可能になる。近似的に軸対称とみなせる構造のプローブを使用することで、垂直磁化成分や面内の直交する２成分を分離して測定することも可能になる。
【０２５５】
（構成５２）上記光散乱プローブは、先端部が磁気光学効果をもつ磁性体から構成することで、空間磁界ベクトル成分の測定を可能にする。
上記光散乱プローブの先端部を磁性体から構成し、その磁化成分を検出することで、磁界ベクトルの測定が可能になる。
【０２５６】
［遮光］
（構成５３）上記の「１８０度回転非対称偏光光源、分割偏光子、分割半波長素子、分割偏光回転素子、分割１／４半波長素子、分割位相変調器、分割偏光回転変調器、空間位相変調器、空間偏光回転変調器」から出射する光束、又はこれらへ入射する光束のうち一部を遮光又は透過率を下げる遮光マスクを備える。
極カー効果に対しては入射角ゼロでもっとも大きく、入射角が大きくなると小さくなる。一方、縦、横カー効果については、入射角ゼロで効果がゼロになり、入射角がかなり大きな角度でピークをもつ。従って、光束の中心部を遮光することで、垂直磁化成分に対する感度を面内磁化成分に対して低減することができる。
また、光源に直線偏光を使用しても、集光される光を３６０度異なる入射面の光に分けて考えると、各光は異なるＰ偏光成分とＳ偏光成分をもち、反射光に対する磁気光学効果を縦、横カー効果に分けるとこれらが混合している。光束に対して遮光することにより、これらの成分の混合比を変えた測定が可能になる。
【０２５７】
（構成５４）上記構成５３で、遮光マスクは回転又は移動により遮光領域を変えることができるような構成とする。
例えば、上記の分割光学素子を光軸を中心に±４５度の線で４分割し、かつ、これらを２つの対称な形状をもつ領域に分類する。一方の領域は面内磁化成分の直交する２成分のうちの一方を検出する構成とし、もう一方の領域はもう一方の面内磁化成分を検出する構成にしておく。遮光板をこれらの片側のみを遮光するような形状に作成し、この遮光板を９０度ずつ回転すれば、面内磁化成分の直交する２成分の測定を切り換えられる。
【０２５８】
［変調検出］
（構成５５）上記で、光源の出力に、偏光状態を外部より制御可能な偏光変調器をそなえる。
例えば、直線偏光を出力する光源出力に、その偏光方位に対して主軸方位角を±４５度の角度にしてゼロと半波長の間で位相差を切り換えて発生できる位相変調器をそなえると、光源の偏光方位を９０度変えることが可能になる。例えば、図１の半波長板１０２として、図１５の偏光変調器（位相変調器）を用いる。
上記の面内磁化成分のみを検出できる光学系を使用した場合でも、光学系のずれや磁性体からの反射光の分布の偏りなどにより垂直磁化成分が混入する場合がある。このような場合に、光源の偏光を９０度変えた測定を行って、両測定結果の差をとると、垂直磁化成分による偏光回転角は両偏光での差が小さいが、面内磁化成分に対する縦カー効果による偏光回転はＰ偏光とＳ偏光で入射角があまり大きくないうちは偏光回転角の符号がことなる。従って、両偏光での偏光回転の差、実際には偏光検出器の偏光回転検出極性が９０度の光源偏光方位の切り換えで反転するため偏光検出器出力の和をとれば、垂直磁化成分の混入を低減して面内磁化成分を検出することができる。
また、垂直磁化測定を行う状態で両測定の差をとれば、面内磁化成分の混入や光検出器出力を増幅するアンプにのる電磁ノイズやオフセット等を低減して垂直磁化成分を測定することができる。
【０２５９】
（構成５６）上記で、光源から被測定磁性体の間の光路と、被測定磁性体と偏光分離検出器の間の光路の２箇所に、偏光状態を外部より制御可能な偏光変調器をそなえる。例えば、図１の半波長板１０２及び１１２として、図１５の偏光変調器を用いる。
上記構成５５のように、光源からの光出力のみに偏光変調器をおいて９０度偏光を回転する場合、面内磁化成分については両偏光での測定結果の和をとる必要があり、この場合は検出電気回路にのる電磁ノイズやオフセット等をキャンセルできない。そこで、偏光分離検出器の前にもう一つ偏光変調器をもうけて、光源側の偏光変調器による偏光回転分をキャンセルするようにすれば、偏光が９０度回転することによる偏光分離検出器出力の極性の逆転を防ぐことができる。従って、面内磁化成分を両偏光での偏光分離検出器出力の差で検出することができ、垂直磁化成分を低減するだけでなく、検出電気回路にのる電磁ノイズやオフセット等をキャンセルできる。
垂直磁化成分を測定する場合は、偏光分離検出器側の偏光変調器の動作をやめれば、両偏光での偏光分離検出器出力の差で垂直磁化成分を検出でき、面内磁化成分を低減するだけでなく、検出電気回路にのる電磁ノイズやオフセット等をキャンセルできる。
【０２６０】
（構成５７）上記構成５５及び５６の偏光変調器の変調を周期的に行い、その変調周期に同期した信号成分を検出する。
任意の磁化又は磁界成分に対する検出感度を変調し、それに同期した信号を検出することで、任意の磁化又は磁界成分を高い感度で検出することができる。また、この変調検出にロックインアンプを使用することで、さらに感度を高められる。
【０２６１】
（構成５８）上記の「分割位相変調器、分割偏光回転変調器、空間位相変調器、空間偏光回転変調器」の変調分布特性の変調を周期的に行い、その変調周期に同期した信号成分を検出する。
例えば、垂直磁化成分を測定する状態と面内磁化成分の１成分の測定する状態の２つの間で切り換える変調を周期的に行い、この変調周波数に同期した信号成分を両測定値の差分の平均を計算処理で算出したり、又はロックインアンプを使用して検出することで、両磁化成分の差を高い感度で検出することが可能になる。この場合、被測定磁性体が垂直磁化膜であれば面内磁化成分がないことにより垂直磁化成分が高感度で検出できる。面内磁化膜であれば、垂直磁化成分がないことにより面内磁化成分が高感度で検出できる。
【０２６２】
［調整、感度登録］
（構成５９）上記の光学系の被測定磁性体の前、又は後ろ、又は被測定磁性体で反射する光の往復する光路中にファラデーセルを備え、ファラデーセルの変調に対する偏光分離検出信号の変調量が最小になるように、上記の「１８０度回転非対称鏡映対称偏光光源、分割偏光子、分割半波長素子、分割偏光回転素子、分割１／４半波長素子、分割位相変調器、分割偏光回転変調器、空間位相変調器、空間偏光回転変調器」の位置や変調空間分布を調整することで、垂直磁化成分の検出感度が最小となる位置を探す。
光路中におかれた光束全体に一様に偏光回転を引き起こすファラデーセルを変調し、それによる偏光検出器の出力があれば、光学系が軸対称な感度を有し、垂直磁化成分に対する感度があることがわかる。このファラデーセルの変調による信号がゼロとなるように上記分割光学素子の位置調整や変調分布を調整することで、垂直磁化成分に対する感度がゼロになるように検出系を調整することができる。調整方法は例えば以下のように行う。
【０２６３】
調整アルゴリズム：
１：分割光学素子の位置Ｄの変化ｄＤとファラデーセルの変調による信号変調量Ｆの変化ｄＦの比例係数γを測定して登録する（γ＝ｄＤ／ｄＦ）。
２：ｉ＝１。
３：位置Ｄ（ｉ）におけるＦ（ｉ）を測定。
４：　もし、Ｆ（ｉ）の絶対値が指定値より小さければ終了。
５：Ｄ（ｉ＋１）＝Ｄ（ｉ）−　γ×Ｆ（ｉ）。
６：ｉ＝ｉ＋１。３行目にいく。
【０２６４】
（構成６０）上記の光学系の被測定磁性体の前、又は後ろ、又は被測定磁性体で反射する光の往復する光路中に予め偏光回転角を校正したファラデーセルを備え、垂直磁化成分を測定する状態で、ファラデーセルにより偏光分離検出器の出力と偏光回転角の関係を登録し、面内磁化成分の測定時にはこの登録した関係を用いて偏光分離検出器の出力から偏光回転角度に換算する。
ファラデーセルは面内磁化成分のみを分離して測定する状態では、ファラデーセルでの偏光回転に対する偏光分離検出器の感度がゼロになり、そのままでは偏光回転角に換算するのに使用できない。そこで、垂直磁化成分を測定する状態で予め校正しておいたファラデーセルによる偏光回転角と偏光分離検出器の出力の関係を測定して登録し、面内磁化成分の測定での偏光分離検出器出力と登録した関係から面内磁化成分の測定値を偏光回転角度に換算することができる。
【０２６５】
［磁気記録装置］
（構成６１）位置移動手段又は回転手段に固定又は着脱可能なように固定された磁性記録媒体をそなえ、上記の測定方法又は測定装置により、磁性記録媒体の磁化ベクトル成分、又は磁性記録媒体の表面磁界ベクトル成分を測定することで、記録情報を読み出すことを特徴とする磁気記録装置が提供される。
面内で直交する２方向又は異なる複数の方向にそって正負の方向に磁化して記録された磁気記録媒体の磁化方向や磁化強度を上記実施形態の方法および装置で読むことができる。また垂直方向にそって正負の方向に磁化して記録された磁気記録媒体の磁化方向や磁化強度も上記実施形態の方法および装置で面内磁化成分を測定する状態から切り替えて読むことができる。さらに、面内の直交する２方向又は異なる複数の方向と垂直方向にそって正負の方向に磁化して記録された磁気記録媒体の磁化方向や磁化強度を上記実施形態の方法および装置で測定する磁化方向を切り替えて読むことができる。さらに、任意の方向に磁化して記録された磁気記録媒体の磁化方向や磁化強度を上記実施形態の方法および装置で異なるいくつかの磁化成分を切り替えて測定することで読むことができる。
【０２６６】
（第２１の実施形態）
図２５は、本発明の第２１の実施形態による分割半波長板の構成例である直交４分割半波長板２５００を示す。第１の半波長板２５０１の主軸は＋２２．５度、第２の半波長板２５０２の主軸は−２２．５度、第３の半波長板２５０３の主軸は＋２２．５度、第４の半波長板２５０４の主軸は−２２．５度である。±２２．５度の主軸方位をもつ半波長板が、互いに直交する第１の境界線２５４１と第２の境界線２５４２を境に主軸方位が異なる。
【０２６７】
この直交４分割半波長板２５００は、図２６に示すように、直交する移動軸をもつ２つのステージ２６０６及び２６０７に固定され、被測定磁性体からの反射光束の通過する光路（例えば図１の１１１の位置）や、光源の出力位置（例えば図１２の１２０３の位置）に置かれる。この２つのステージ２６０６及び２６０７の移動により、直交４分割半波長板２５００に光束２６０５が入射する位置を図２５の光ビーム断面位置２５３１〜２５３８で切り換えることができる。位置２５３１〜２５３４では垂直磁化成分の測定が行える。位置２５３５及び２５３７では、面内磁化Ｙ成分の測定ができる。位置２５３６及び２５３８では、面内磁化Ｘ成分の測定ができる。例えば、図２６の位置２６０２では面内磁化Ｘ成分を測定することができ、位置２６０３では面内磁化Ｙ成分を測定することができ、位置２６０４では垂直磁化成分を測定することができる。
【０２６８】
図２５の位置２５３１及び２５３３に対して、位置２５３２及び２５３４の位置では垂直磁化成分に対する感度極性が反転する。また、位置２５３５及び２５３７では面内磁化Ｙ成分の感度極性が反転し、位置２５３６及び２５３８では面内磁化Ｘ成分の感度極性が反転する。
これらの極性の互いに反転する位置で垂直、面内Ｘ、Ｙ磁化成分の分布や時間変化波形を測定した結果の差を取ることで、電磁ノイズなどの背景ノイズをキャンセルして測定のＳ／Ｎを向上することができる。
【０２６９】
さらに、光束の入射する位置を第１の分割境界線２５４１及び第２の分割境界線２５４２に対して微調整して最適な位置に設定することができる。また、レーザを走査して入射光束位置がずれる場合にも、それに追従して光束の入射する位置を調整することができる。
なお、直交４分割半波長板を光軸のまわりで回転する回転ステージをさらに備えてもよい。
【０２７０】
［直交４分割半波長板＋２軸ステージ］
（構成６２）上記構成１の「１８０度回転非対称偏光素子」は、隣同士の光学特性が異なる分割境界線として、互いに直交して交差する第１及び第２の２つの境界線を少なくとも含み、この２つの境界線により分割された４つの領域をもち、この光学素子を２つの異なる方向に移動可能な２軸ステージをそなえ、このステージの移動により光束がこの光学素子を透過する位置を第１の境界線上と第２の境界線上、および境界線のない領域とのあいだで切り換えることを可能にする。
２つの直交する面内磁化成分の測定や垂直磁化成分の測定との間の切り換えが可能である。また、２つの直交する面内磁化成分の測定において、「１８０度回転非対称偏光素子」に光束が入射する位置を２つの直交する方向で自由に調整が可能となる。さらに、レーザ走査を行い、「１８０度回転非対称偏光素子」に光束が入射する位置がずれても、その位置を調整して正しい位置に入射するように調整することが自由にできる。
【０２７１】
（第２２の実施形態）
図２７は、本発明の第２２の実施形態による測定装置を示し、図９及び図１０（Ａ）、（Ｂ）の変形例を示す。図１の「１８０度回転非対称偏光素子」１１１がない代わりに集光手段である対物レンズ１０６の上（対物レンズ１０６及びビームスプリッタ１０５の間）の光束が往復する光路に分割半波長素子２７０１を有する。この位置に分割半波長素子２７０１を挿入することで、光学系のもつ光学特性の１８０度回転に対する対称性を崩すことができ、被測定磁性体の面内磁化成分の測定が可能になる。
【０２７２】
図２８（Ａ）及び（Ｂ）は、図２７の対物レンズ１０６の上に備えられる分割半波長素子２７０１の例であり、この構成自体は図２（Ａ）及び（Ｂ）と同じになっている。光源からの光を直線偏光とし、その偏光方位を分割半波長素子２８０１の主軸方位角（０度）２８０３に一致させる。光源からの光２８０２が分割半波長素子２８０１を通る場合には偏光は変化を受けずに集光手段に入射する。従って、偏光状態に対する作用は、分割半波長素子２８０１を反射光のみが通る光路に置いたのと等価になり、面内磁化成分の測定が行える。図２８（Ｂ）は、上半分の分割半波長板２８０１と下半分のガラス板２８１１を接合し、その屈折率と厚みを適当にとることで光源からの入射光の波面特性が乱れるのを防ぐことができる。
【０２７３】
図２９は、図２７の対物レンズ１０６の上に備えられる分割半波長素子２７０１のもう一つの例である。この分割半波長素子２９００は、入射光束断面２９０３内において直線２９０４を境界として２つの半波長板領域２９０１及び２９０２に分割され、２つのそれぞれの領域２９０１及び２９０２における主軸２９１１及び２９１２が境界線２９０４に対して絶対値が等しい±θの角度をなす半波長素子から構成されている。この境界線２９０４は光軸に交差するようにして置く。例えば、第１の半波長板２９０１の主軸２９１１は＋θ（＋１１．２５度）であり、第２の半波長板２９０２の主軸２９１２は−θ（−１１．２５度）である。
【０２７４】
ここでは特に、±θを±１１．２５度とした例を示した。入射光の偏光方位を０度とすると、入射光束のうち主軸方位が＋１１．２５度の第１の半波長板２９０１を透過した光の偏光方位は＋２２．５度となり、被測定磁性体で反射した光は主軸方位が−１１．２５度の第２の半波長板２９０２を透過し、カー回転を仮にδ度とすると偏光方位は−４５−δ度となる。入射光束のうち第２の半波長板２９０２を透過した光については反射光は第１の半波長板２９０１を透過し、その偏光方位は＋４５−δ度となる。
【０２７５】
０度または９０度の方位の偏光を分離する偏光分離検出器で偏光の変化を検出すると、両領域のカー回転は逆極性で検出される。従って、垂直磁化成分は検出されず、分割半波長素子の境界線に垂直な方位の面内磁化成分のみが検出される。差動偏光検出を行う場合には±θの値として±１１．２５度をとるのが適する。
【０２７６】
図３０は、図２８（Ａ）、（Ｂ）及び図２９の分割半波長素子３００１が、集光手段である対物レンズ３００２の入射瞳位置３００３におかれている。分割半波長素子３００１をこの位置３００３におくことにより、レーザ走査により瞳位置３００３に傾斜して入射する光束位置がずれても、入射ビーム径が瞳径より十分大きければ、分割半波長素子３００１を透過する光束の中心軸は分割半波長素子３００２の境界線に対するずれが生じず、被測定磁性体からの反射光束が分割半波長素子３００１を通る位置のずれも生じない。従って、偏光分離検出器に入射する光束に対しては、分割半波長素子を通った位置の中心軸からの偏りを低減でき、垂直磁化成分の混入を低減することができる。
【０２７７】
［集光手段前に分割半波長素子］
（構成６３）光源と、前記光源からの光束を集光して被測定磁性体に照射する集光手段と、前記被測定磁性体で反射した光束の偏光状態、又は光量の磁気光学効果による変化を一方向の偏光成分又は互いに直交する偏光成分を分離してその各成分の光量を光検出器により検出する偏光分離検出器と、集光手段の前の光が往復する光路に、光束断面内の偏光分布への作用が光軸のまわりの１８０度回転に対して非対称性をもつように作用する分割半波長素子を有することで、前記被測定磁性体の面内磁化成分の測定を行う測定装置が提供される。
集光手段の前の光が往復する光路に、光束断面内の偏光分布への作用が光軸のまわりの１８０度回転に対して非対称性をもつように作用する分割半波長素子を有することで光学系のもつ１８０度回転に対する対称性を崩し、面内磁化成分に対する感度が得られる。
【０２７８】
［集光手段前に片側分割半波長素子］
（構成６４）前記構成６３の分割半波長素子は、光束断面内において光軸と交差する直線を境界として２つに分割された領域の一方のみに作用し、主軸方位が境界線と平行または直交する半波長素子を有する分割半波長素子である測定装置が提供される。
光源からの光を直線偏光とし、その偏光方位を分割半波長素子の主軸方位に一致させる。光源からの光が分割半波長素子を通る場合には偏光状態は変化を受けずに集光手段に入射し、被測定磁性体で反射した光は磁気光学効果により偏光が変化するため、分割半波長素子を通ることで偏光分布が作用を受ける。従って、偏光状態に対する作用は、分割半波長素子を反射光のみが通る光路に置いたのと等価になり、面内磁化成分の測定が行える。
【０２７９】
［集光手段前に±θ度分割半波長素子］
（構成６５）前記構成６３の分割半波長素子は、光束断面内において直線を境界として２つの領域に分割され、２つのそれぞれの領域における主軸が前記境界線に対して絶対値が等しく、符号が逆である角度をなす半波長素子から構成される分割半波長素子である測定装置が提供される。
分割半波長素子の２つの領域の主軸と境界線とのなす角度を＋θ度と−θ度とし、境界線を光学系の光軸に交差するように置く。光源からの出力偏光はこの境界線に平行または直交する直線偏光で、光軸まわりの１８０度回転対称性と鏡映対称性をもつとする。この場合、分割半波長板の主軸が＋θ度の領域を通る入射光の偏光方位は＋２θ度となり、集光手段を通って被測定磁性体で反射して分割半波長素子の主軸−θ度の領域を通る反射光の偏光方位はカー回転を仮にδ度とすれば−２θ−δ度となる。これと反対側の領域を通る光の偏光方位は＋２θ−δ度となる。
０度または９０度の方位の偏光を分離して検出する偏光分離検出器で偏光の変化を検出すると、両領域のカー回転は逆極性で検出される。従って、垂直磁化成分は検出されず、分割半波長素子の境界線に垂直な方位の面内磁化成分のみが検出される。
また、より厳密には、この分割半波長素子は光軸のまわりの１８０度回転対称性を持たず、境界線と光軸を含む面を鏡映面として鏡映対称性をもつ「１８０度回転非対称鏡映対称偏光素子」であることから、直接、分割半波長素子の境界線に垂直な方位の面内磁化成分のみが検出されることがわかる。
【０２８０】
［往復光路に±１１．２５度分割半波長素子］
（構成６６）前記構成６５の分割半波長素子の前記境界線に対する主軸の角度が＋１１．２５度と−１１．２５度であることを特徴とする測定装置が提供される。
この場合、分割半波長板の主軸が＋１１．２５度の領域を通る入射光の偏光方位は＋２２．５度となり、集光手段を通って被測定磁性体で反射して分割半波長素子の主軸−１１．２５度の領域を通る反射光の偏光方位はカー回転を仮にδ度として−４５−δ度となる。これと反対側の領域を通る光の偏光方位は＋４５−δ度となる。０度と９０度の方位の偏光を分離する差動偏光検出器で偏光の変化を検出すると、カー回転のない時には直交する偏光の強度が等しいためその検出出力はゼロとなり、前記構成３０１と同様に、垂直磁化成分は検出されず、分割半波長素子の境界線に垂直な方位の面内磁化成分のみが検出される。カー回転のないときの差動偏光検出器出力をゼロとすることができるため、光量ノイズの影響を受けにくく、高い測定Ｓ／Ｎが得られる。
【０２８１】
［集光手段入射瞳位置に±θ度分割半波長素子］
（構成６７）前記構成６３の分割半波長素子は、集光手段の入射瞳に位置する。
レーザ走査系を備えてレーザ走査を行う場合には、たとえ対物レンズに入射する光束の位置がレーザ走査に伴ってずれたとしても、対物レンズに入射する光束の径が対物レンズの瞳径にくらべて十分大きければ、被測定磁性体で反射して対物レンズ瞳を透過したレーザ光束の中心が分割半波長素子の境界線に一致するため、レーザ走査位置によって光束への分割半波長素子の作用位置がずれるのを防ぐことができる。従って、広い視野範囲に対して面内磁化成分を正確に測定できる。また、結像レンズと画像検出素子により磁化分布を画像観察する場合や、結像レンズと接眼レンズにより目視観察する場合にも、広い視野範囲に対して面内磁化成分を正確に観察できる。
【０２８２】
［微小磁性体付きＳＩＬ磁界測定装置］
（構成６８）上記構成４７で、ソリッドイマージョンレンズにそなえた磁性体は集光スポット径より小さくし、その周囲に遮光膜をそなえる。
ソリッドイマージョンレンズにそなえた磁性体を集光スポット径より小さくすることで、磁界測定の空間分解能を光回折限界を超えて集光スポット径より小さくすることができる。さらに、被測定磁性膜から生じるもれ磁界を測定するような場合、ソリッドイマージョンレンズの磁性体からはみだした光が被測定磁性体に照射されて磁気カー効果を受けた反射光が偏光分離検出器に入射し、磁界測定を妨げるのを防ぐことができる。この場合、磁性体での光反射は微小磁性体粒子による光散乱現象に近くなってくるが、このような場合にも上記の物理法則の対称性に基づいた面内磁化成分を分離して測定する方法は有効である。
【０２８３】
以上のように、上記の実施形態によれば、偏光分離検出器を簡単な構成のままで面内磁化及び／又は磁界成分を垂直磁化及び／又は磁界成分から分離して測定することが可能で、Ｓ／Ｎの高い検出が可能となる。また、簡単な構成で面内磁化の直交する２成分と垂直磁化成分、又は、面内磁界の直交する２成分と垂直磁界成分を切り替えて測定することが可能になる。
【０２８４】
また、仮に２分割又は４分割フォトディテクタを使用すると、走査型のレーザ顕微測定法にしか適用できない。本発明の実施形態では、走査型のレーザ顕微測定法だけでなく、カメラや目視により画像を一括して観察することも可能になる。また、ソリッドイマージョンレンズや、近接場プローブ顕微鏡にも適用でき、通常の光学顕微鏡の限界を超える分解能で、面内磁化成分を垂直磁化成分から分離して測定することが可能になる。
【０２８５】
なお、上記実施形態は、何れも本発明を実施するにあたっての具体化の例を示したものに過ぎず、これらによって本発明の技術的範囲が限定的に解釈されてはならないものである。すなわち、本発明はその技術思想、又はその主要な特徴から逸脱することなく、様々な形で実施することができる。
【０２８６】
本発明の実施形態は、例えば以下のように種々の適用が可能である。
（付記１）被測定磁性体の面内磁化成分を測定するための測定装置であって、
光源と、
前記光源からの光束を集光して被測定磁性体に照射する集光手段と、
前記被測定磁性体で反射した光束の偏光状態、又は光量の磁気光学効果による変化を検出するために、一方向の偏光成分又は互いに直交する偏光成分を分離してその各成分の光量を光検出器で検出する偏光分離検出器と、
前記被測定磁性体からの反射光のみに作用し、かつ、その入射光束断面内の偏光分布への作用が光軸のまわりの１８０度回転に対して非対称性をもつように作用する１８０度回転非対称偏光素子と
を有する測定装置。
（付記２）前記１８０度回転非対称偏光素子は、半波長の位相差を発生する素子を含み、光束断面内で非一様に作用する分割半波長素子である付記１記載の測定装置。
（付記３）前記分割半波長素子は、光束が作用する断面領域内で光軸と交差する直線を境界線として分割され、その一方の領域に作用する光に対してのみ半波長の位相差を発生する付記２記載の測定装置。
（付記４）前記１８０度回転非対称偏光素子は、偏光回転素子を含み、光束断面内で非一様な偏光回転作用をもつ分割偏光回転素子である付記１記載の測定装置。
（付記５）前記分割偏光回転素子は、光束が作用する断面領域内で光軸と交差する直線を境界線として分割され、その一方の領域の偏光回転角と、もう一方の領域の偏光回転角が異なるように構成し、一方の偏光回転角がゼロでもよい付記４記載の測定装置。
（付記６）前記分割偏光回転素子の領域により異なる偏光回転角度の差の絶対値が１０度以下である付記４記載の測定装置。
（付記７）前記分割偏光回転素子の領域により異なる偏光回転角度の差が９０度である付記４記載の測定装置。
（付記８）前記１８０度回転非対称偏光素子は、それが作用する光束の光束断面内の偏光分布への作用が、光軸を含むある平面の鏡映面に対する鏡映対称性をもつ１８０度回転非対称鏡映対称偏光素子である付記１記載の測定装置。
（付記９）前記偏光分離検出器の偏光検出方位と前記１８０度回転非対称鏡映対称偏光素子の鏡映対称面のなす角の絶対値が９０度の整数倍である付記８記載の測定装置。
（付記１０）前記偏光分離検出器の偏光検出方位と前記１８０度回転非対称鏡映対称偏光素子の鏡映対称面のなす角の絶対値が４５度である付記８記載の測定装置。
（付記１１）前記１８０度回転非対称鏡映対称偏光素子は、光束が作用する領域内で、２つ以上に分割された領域に対して２つ以上の異なる主軸方位角をもつ半波長の位相差を発生する素子を含む分割半波長素子である付記８記載の測定装置。
（付記１２）前記分割半波長素子は、光束が作用する断面領域内で光軸と交差する直線を境界線として分割され、その両領域の主軸方位は境界線に対して絶対値が同じで互いに符号の異なるゼロ度ではない角度をなすように構成される付記１１記載の測定装置。
（付記１３）前記分割半波長素子は、光束が作用する断面領域内で分割された領域の主軸方位が、鏡映対称面と光束断面の交差する線、又は前記分割境界線となす角の絶対値が０度でなく５度以下である付記１１記載の測定装置。
（付記１４）前記分割半波長素子は、光束が作用する断面領域内で分割された領域の主軸方位が、鏡映対称面と光束断面の交差する線、又は前記分割境界線となす角が＋２２．５度と−２２．５度である付記１２記載の測定装置。
（付記１５）前記１８０度回転非対称鏡映対称偏光素子は、光束が作用する領域内で、２つ以上に分割された領域に対して２つ以上の異なる主軸方位角をもつ１／４波長の位相差を発生する素子を含む分割１／４半波長素子である付記８記載の測定装置。
（付記１６）前記分割１／４半波長素子は、光束が作用する断面領域内で光軸と交差する直線を境界線として分割され、その両領域の１／４波長素子の主軸方位は境界線に対して絶対値が同じで互いに符号の異なるゼロ度ではない角度をなすように構成される付記１５記載の測定装置。
（付記１７）前記分割１／４半波長素子は、光束が作用する断面領域内で分割された領域の主軸方位が、鏡映対称面と光束断面の交差する線、又は前記境界線となす角が＋４５度と−４５度である付記１５記載の測定装置。
（付記１８）前記１８０度回転非対称鏡映対称偏光素子は、光束が作用する領域内で、偏光回転作用が非一様な分布をもつ分割偏光回転素子である付記８記載の測定装置。
（付記１９）前記分割偏光回転素子は、光束が作用する断面領域内で光軸と交差する直線を境界線として分割され、その一方の偏光回転角が他方の偏光回転角と絶対値が同じで符号の異なるゼロではない値となるように構成される付記１８記載の測定装置。
（付記２０）前記分割偏光回転素子の領域により異なる偏光回転角の角度差の絶対値が１０度以下である付記１８記載の測定装置。
（付記２１）前記分割偏光回転素子の領域により異なる偏光回転角の角度差の絶対値が９０度である付記１８記載の測定装置。
（付記２２）光源として、その出力光束が、光軸回りの１８０度回転に対して光軸に直交する光束断面内での強度分布は対称性をもつが偏光状態分布は対称性をもたず、かつ、光軸を含むある面を境界面とした鏡映に対して光束断面内の強度分布と偏光状態分布がともに対称であるような１８０度回転非対称鏡映対称偏光光源と、
前記１８０度回転非対称鏡映対称偏光光源からの光束を集光して被測定磁性体に照射する集光手段と、
前記被測定磁性体で反射した光束の偏光状態、又は光量の磁気光学効果による変化を検出するために、一方向の偏光成分又は互いに直交する偏光成分を分離してその各成分の光量を光検出器で検出する偏光分離検出器とを有し、
前記光源光出力から前記偏光分離検出器の直前までの光路にあって光束に作用する光学素子は、光束への光強度分布と偏光分布に対する作用が光軸回りの１８０度回転と前記鏡映面に対する鏡映に対して対称性をもち、
前記偏光分離検出器の１つまたは互いに直交する２つの偏光分離検出方位と前記鏡映面、または、前記被測定磁性体による磁気光学作用のないときに入射する光束の鏡映対称面とのなす角を９０度の整数倍にして置くことで、
前記被測定磁性体の面内磁化ベクトルの１成分のみを他の直交する２成分から分離して測定を可能とした測定装置。
（付記２３）前記１８０度回転非対称鏡映対称偏光光源の光出力の光束断面内での偏光分布は、光軸に直交して光軸と交差する直線を境界線として偏光状態が異なり、それぞれの領域では直線偏光であり、その方位角が前記境界線となす角度は絶対値が等しく逆符号であるように構成される付記２２記載の測定装置。
（付記２４）前記の１８０度回転非対称鏡映対称偏光光源の光出力の光束断面内での異なる偏光方位間の角度差の絶対値が１０度以下である付記２３記載の測定装置。
（付記２５）前記１８０度回転非対称鏡映対称偏光光源の光出力の光束断面内での異なる偏光方位間の角度差の絶対値が９０度である付記２３記載の測定装置。
（付記２６）前記１８０度回転非対称鏡映対称偏光光源は、
自然偏光光源又は部分偏光光源又は直線偏光光源と、
一方の偏光成分を取り出す偏光子から構成され前記直線偏光光源の出力光束断面内で非一様な作用をする分割偏光子とを含む付記２２記載の測定装置。
（付記２７）前記１８０度回転非対称鏡映対称偏光光源は、
直線偏光光源と、
半波長の位相差を発生する素子を含み前記直線偏光光源の出力光束断面内で非一様な作用をする分割半波長素子とを有する付記２２記載の測定装置。
（付記２８）前記１８０度回転非対称鏡映対称偏光光源は、
直線偏光光源と、
偏光を回転する素子を含み前記直線偏光光源の出力光束断面内で非一様な作用をする分割偏光回転素子とを有する付記２２記載の測定装置。
（付記２９）前記１８０度回転非対称偏光素子は、分割された領域における各発生位相差を外部制御可能な分割位相変調器である付記１記載の測定装置。
（付記３０）前記１８０度回転非対称偏光素子は、位相差の空間分布を外部制御可能な空間位相変調器である付記１記載の測定装置。
（付記３１）前記１８０度回転非対称偏光素子は、分割された領域における各偏光回転角を外部制御可能な分割偏光回転変調器である付記１記載の測定装置。（付記３２）前記１８０度回転非対称偏光素子は、偏光回転角の空間分布を外部制御可能な空間偏光回転変調器である付記１記載の測定装置。
（付記３３）さらに、光学系のもつ鏡映対称面と光束断面との交線に対して主軸方位のなす角度の絶対値が２２．５度である半波長素子を光路中の前記被測定磁性体と前記偏光分離検出器の間に挿入する機構を有する付記１４記載の測定装置。
（付記３４）さらに、回転角の絶対値が４５度である偏光回転素子を光路中の前記被測定磁性体と前記偏光分離検出器の間に挿入する機構を有する付記１４記載の測定装置。
（付記３５）さらに、前記１８０度回転非対称偏光素子の光軸まわりの方位角を回転調整するための手動又は自動の回転調整ステージを有する付記１記載の測定装置。
（付記３６）さらに、前記１８０度回転非対称偏光素子の位置を移動調整するための手動又は自動の位置調整ステージを有する付記１記載の測定装置。
（付記３７）前記分割半波長素子は、隣同士の光学特性が異なる分割境界線として、互いに直交する２つの第１及び第２の境界線を少なくとも含み、
さらに、前記第１及び第２の境界線はある１つの直線と一方が重なり他方が交差するか、又は両方とも交差するように配置され、その直線にそった方向に前記分割半波長素子を移動可能なステージを有し、
前記ステージの移動のみで光束が前記分割半波長素子に入射する位置を第１の境界線上と第２の境界線上と境界線のない領域との間で切り換えることが可能である付記２記載の測定装置。
（付記３８）被測定磁性体の面内磁化成分を測定するための測定装置であって、
光源と、
前記光源からの光束を集光して被測定磁性体に照射する集光手段と、
前記被測定磁性体の面内磁化成分に対する感度をもたせるために、前記被測定磁性体で反射した光束のみに作用し、かつ、その光束断面内の偏光分布への作用が光軸まわりの１８０度回転に対して非対称性をもつように作用する１８０度回転非対称偏光素子と、
前記１８０度回転非対称偏光素子により作用された光の一方向の偏光成分又は互いに直交する偏光成分を分離する偏光分離素子と、
結像レンズ及び画像検出素子を含み、前記偏光分離素子により分離された偏光成分が各画素に入射する光を検出して磁化分布画像データを取得するための検出器と
を有する測定装置。
（付記３９）被測定磁性体の面内磁化成分を測定するための測定装置であって、
光源と、
前記光源からの光束を集光して被測定磁性体に照射する集光手段と、
前記被測定磁性体の面内磁化成分に対する感度をもたせるために、前記被測定磁性体で反射した光束のみに作用し、かつ、その光束断面内の偏光分布への作用が光軸まわりの１８０度回転に対して非対称性をもつように作用する１８０度回転非対称偏光素子と、
前記１８０度回転非対称偏光素子により作用された光の一方向の偏光成分又は互いに直交する偏光成分を分離する偏光分離素子と、
前記偏光分離素子により分離された偏光成分を基に磁化分布の目視を可能とするための結像レンズ及び接眼レンズと
を有する測定装置。
（付記４０）前記光源は、磁性体の磁化状態の変化動作、又は磁性体の移動動作に同期をとって発光するパルス幅が１００ｐｓ以下の短パルスレーザ光源である付記１記載の測定装置。
（付記４１）さらに、前記光源からの光ビームが前記集光手段で集光される集光スポット位置を走査するための光走査手段と、
前記光走査手段の少なくとも一方向の走査に同期して前記１８０度回転非対称偏光素子の位置を移動調整するための自動位置調整ステージとを有する付記１記載の測定装置。
（付記４２）さらに、前記１８０度回転非対称偏光素子に入射する光束位置が前記集光レンズの瞳位置と光学的に一致させるためのリレーレンズを有する付記１記載の測定装置。
（付記４３）前記１８０度回転非対称偏光素子は、前記被測定磁性体での透過光又は透過往復光を入射し、
前記被測定磁性体のファラデー効果による偏光回転を測定する付記１記載の測定装置。
（付記４４）前記集光手段は、ソリッドイマージョンレンズを含む付記１記載の測定装置。
（付記４５）さらに、磁性体を備えたプローブを前記集光手段の集光部に有し、プローブの磁性体の磁化ベクトル成分を測定することにより磁性体のおかれた位置の空間磁界ベクトル成分を測定することができる付記１記載の測定装置。
（付記４６）前記プローブに備えられた磁性体は、垂直磁化膜である付記４５記載の測定装置。
（付記４７）前記磁性体を備えたプローブは、底面に磁性体を備えるソリッドイマージョンレンズである付記４５記載の測定装置。
（付記４８）前記磁性体を備えたプローブは、光透過性で磁気光学効果をもつソリッドイマージョンレンズである付記４５記載の測定装置。
（付記４９）前記集光手段は、近接場光を発生する近接場プローブであり、
さらに、近接場光が前記被測定磁性体と相互作用して生じた伝搬光を集光するための伝搬光集光手段を有する付記１記載の測定装置。
（付記５０）前記近接場プローブは、先端部が磁気光学効果をもつ磁性体をもち、
前記近接場プローブの先端部の空間磁界ベクトル成分を測定することができる付記４９記載の測定装置。
（付記５１）前記集光手段は、集光レンズ又は集光ミラーと、その集光位置に配置された鋭利な先端をもつ光散乱型近接場プローブとからなり、そのプローブ先端と被測定磁性体で散乱した光を集光してその偏光状態又は反射率の変化を検出する付記１記載の測定装置。
（付記５２）前記光散乱型近接場プローブは、先端部が磁気光学効果をもつ磁性体である付記５１記載の測定装置。
（付記５３）さらに、前記１８０度回転非対称偏光素子から出射する光束、又は前記１８０度回転非対称偏光素子へ入射する光束のうち一部を遮光する遮光マスクを有する付記１記載の測定装置。
（付記５４）前記遮光マスクは、回転又は移動により遮光領域を変えることができる付記５３記載の測定装置。
（付記５５）さらに、前記光源の出力に偏光状態を外部より制御可能な偏光変調器を有する付記１記載の測定装置。
（付記５６）さらに、前記光源から前記被測定磁性体までの間の光路と、前記被測定磁性体から前記偏光分離検出器までの間の光路との２箇所に偏光状態を外部より制御可能な偏光変調器を有する付記１記載の測定装置。
（付記５７）前記偏光変調器は、変調を周期的に行い、
前記偏光分離検出器の出力する前記変調周期に同期した信号成分を検出する付記５５記載の測定装置。
（付記５８）前記分割位相変調器は、変調分布特性の変調を周期的に行い、
前記偏光分離検出器の出力する前記変調周期に同期した信号成分を検出する付記２９記載の測定装置。
（付記５９）さらに、前記被測定磁性体の前、後ろ、又は前記被測定磁性体で反射する光の往復する光路中に設けられるファラデーセルを有し、
前記ファラデーセルの変調に対する前記偏光分離検出器の出力信号の変調量が最小になるように、前記１８０度回転非対称偏光素子の位置や変調空間分布を調整することで、垂直磁化成分の検出感度が最小となる位置を探すことができる付記１記載の測定装置。
（付記６０）さらに、前記被測定磁性体の前、後ろ、又は前記被測定磁性体で反射する光の往復する光路中に予め偏光回転角を校正したファラデーセルと、
垂直磁化成分を測定する状態で、前記ファラデーセルにより前記偏光分離検出器の出力と偏光回転角の関係を登録し、面内磁化成分の測定時には前記登録した関係を用いて前記偏光分離検出器の出力から偏光回転角度に換算する換算手段を有する付記１記載の測定装置。
（付記６１）光源と、
位置移動手段又は回転手段に固定又は着脱可能なように固定された磁性記録媒体と、
前記光源からの光束を集光して磁性記録媒体に照射する集光手段と、
前記磁性記録媒体の面内磁化成分に対する感度をもたせるために、前記磁性記録媒体で反射した光束のみに作用し、かつ、その光束断面内の偏光分布への作用が光軸まわりの１８０度回転に対して非対称性をもつように作用する１８０度回転非対称偏光素子と、
前記磁性記録媒体の磁化状態を測定するために、前記１８０度回転非対称偏光素子により作用された光の偏光状態又は光量の磁気光学効果による変化を一方向の偏光成分又は互いに直交する偏光成分を分離してその各成分の光量を検出することにより、前記磁性記録媒体の磁化ベクトル成分、又は前記磁性記録媒体の表面磁界ベクトル成分を測定することで、記録情報を読み出す読出手段と
を有する磁気読出装置。
【０２８７】
【発明の効果】
以上説明したように、偏光分離検出器を簡単な構成のままで面内磁化及び／又は磁界成分を垂直磁化及び／又は磁界成分から分離して測定することが可能で、Ｓ／Ｎの高い検出が可能となる。また、簡単な構成で面内磁化の直交する２成分と垂直磁化成分、又は、面内磁界の直交する２成分と垂直磁界成分を切り替えて測定することが可能になる。
【図面の簡単な説明】
【図１】本発明の第１の実施形態による測定装置の構成例を示す図である。
【図２】図２（Ａ）及び（Ｂ）は本発明の第２の実施形態による１８０度回転非対称偏光素子の典型例である分割半波長素子の例を示す図である。
【図３】図３（Ａ）及び（Ｂ）は本発明の第３の実施形態による１８０度回転非対称偏光素子の典型例である分割偏光回転素子の例を示す図である。
【図４】本発明の第４の実施形態による１８０度回転非対称鏡映対称偏光素子の典型例である分割半波長素子の例を示す図である。
【図５】本発明の第５の実施形態による１８０度回転非対称鏡映対称偏光素子の典型例である分割１／４半波長素子の例を示す図である。
【図６】本発明の第６の実施形態による１８０度回転非対称鏡映対称偏光素子である分割偏光回転素子の例を示す図である。
【図７】本発明の第７の実施形態による１８０度回転非対称鏡映対称偏光素子である分割半波長素子を使用したサンプリング式走査型カー顕微鏡の例を示す図である。
【図８】図８（Ａ）及び（Ｂ）は図７の顕微鏡に取り付けた分割半波長素子の第１の構成例である２分割半波長板を示す図である。
【図９】２分割半波長板をステージに固定したようすを示す図である。
【図１０】図１０（Ａ）及び（Ｂ）は図７の顕微鏡に取り付けた分割半波長素子の第２の構成例である４分割半波長板を示す図である。
【図１１】図１１（Ａ）〜（Ｄ）はモータステージに固定した４分割半波長板を使用して、磁気ヘッドの磁化分布と磁化の時間応答波形を測定した例を示す図である。
【図１２】本発明の第８の実施形態による測定装置を示す図である。
【図１３】本発明の第９の実施形態による分割半波長素子の例を示す図である。
【図１４】図１４（Ａ）〜（Ｄ）は本発明の第１０の実施形態による分割位相変調器の例を示す図である。
【図１５】本発明の第１１の実施形態による空間位相変調器の例を示す図である。
【図１６】本発明の第１２の実施形態による測定装置の例を示す図である。
【図１７】本発明の第１３の実施形態による測定装置の例を示す図である。
【図１８】本発明の第１４の実施形態による測定装置の例を示す図である。
【図１９】図１９（Ａ）及び（Ｂ）は本発明の第１５の実施形態によるソリッドイマージョンレンズの例を示す図である。
【図２０】図２０（Ａ）〜（Ｃ）は本発明の第１６の実施形態による磁界プローブの例を示す図である。
【図２１】図２１（Ａ）及び（Ｂ）は本発明の第１７の実施形態によるＳＩＬ磁界プローブの例を示す図である。
【図２２】本発明の第１８の実施形態による測定装置の例を示す図である。
【図２３】本発明の第１９の実施形態による測定装置の例を示す図である。
【図２４】図２４（Ａ）〜（Ｅ）は本発明の第２０の実施形態による遮光板の例を示す図である。
【図２５】本発明の第２１の実施形態による分割半波長板の構成例である直交４分割半波長板を示す図である。
【図２６】移動ステージに固定された直交４分割半波長板を示す図である。
【図２７】本発明の第２２の実施形態による測定装置を示す図である。
【図２８】図２８（Ａ）及び（Ｂ）は対物レンズの上に備えられる分割半波長素子の例を示す図である。
【図２９】対物レンズの上に備えられる分割半波長素子の他の例を示す図である。
【図３０】対物レンズの入射瞳位置におかれる分割半波長素子を示す図である。
【符号の説明】
１０１　光源
１０２　半波長板
１０３　直線偏光
１０４　光軸
１０５　ビームスプリッタ
１０６　対物レンズ
１０７　被測定磁性体
１０８　ステージ
１０９　反射光束
１１０　光軸
１１１　１８０度回転非対称偏光素子
１１２　半波長板
１１３　偏光ビームスプリッタ
１１４　レンズ
１１５　光検出器
１１６　Ｉ／Ｖアンプ
１１７　差動アンプ
１１８　差動偏光検出信号
１１９　レンズ
１２０　光検出器
１２１　Ｉ／Ｖアンプ
１２２　加算アンプ
１２３　加算信号
１２４　制御部
【図１】
2004093280.tif 000003
【図２】
2004093280.tif 000004
【図３】
2004093280.tif 000005
【図４】
2004093280.tif 000006
【図５】
2004093280.tif 000007
【図６】
2004093280.tif 000008
【図７】
2004093280.tif 000009
【図８】
2004093280.tif 000010
【図９】
2004093280.tif 000011
【図１０】
2004093280.tif 000012
【図１１】
2004093280.tif 000013
【図１２】
2004093280.tif 000014
【図１３】
2004093280.tif 000015
【図１４】
2004093280.tif 000016
【図１５】
2004093280.tif 000017
【図１６】
2004093280.tif 000018
【図１７】
2004093280.tif 000019
【図１８】
2004093280.tif 000020
【図１９】
2004093280.tif 000021
【図２０】
2004093280.tif 000022
【図２１】
2004093280.tif 000023
【図２２】
2004093280.tif 000024
【図２３】
2004093280.tif 000025
【図２４】
2004093280.tif 000026
【図２５】
2004093280.tif 000027
【図２６】
2004093280.tif 000028
【図２７】
2004093280.tif 000029
【図２８】
2004093280.tif 000030
【図２９】
2004093280.tif 000031
【図３０】
2004093280.tif 000032